(57)【要約】  静電容量結合方式の入力装置において、高精細化・大型化が容易な入力装置を提供する。１フレーム期間中に複数の走査信号線に順次走査信号を印加して表示の更新を行う表示装置に配置され、複数本の駆動電極と複数本の検知電極とが互いに交差するように配置された入力装置であって、検知電極は走査信号線に平行となるように配置されるとともに、タッチ検出期間において、駆動電極に駆動信号を印加するとともに、検知電極それぞれから出力される検出信号を検出することによりタッチ位置の検出を行うように構成されている。
2014061261.tif 000002
【特許請求の範囲】
【請求項１】
１フレーム期間中に複数の走査信号線に順次走査信号を印加して表示の更新を行う表示装置に配置され、複数本の駆動電極と複数本の検知電極とが互いに交差するように配置されるとともに、前記駆動電極と前記検知電極との間に容量素子を形成することにより構成した入力装置であって、
前記検知電極は前記表示装置の前記走査信号線に平行となるように配置され、
タッチ検出期間において、前記駆動電極に駆動信号を印加するとともに、前記検知電極それぞれから出力される検出信号を検出することによりタッチ位置の検出を行うように構成したことを特徴とする入力装置。
【請求項２】
前記タッチ検出期間は、前記走査信号が印加されている前記走査信号線に近接した前記検知電極における検知動作は行わず、前記走査信号が印加されていない前記走査信号線に近接した前記検知電極において検知動作を行うように構成されている請求項１に記載の入力装置。
【請求項３】
Ｍ本の走査信号線からなるラインブロックをＮ本配列してなる複数本の走査信号線を有し、１フレーム期間中に前記走査信号線に順次走査信号を印加して表示の更新を行う表示装置に配置され、
複数本の駆動電極と複数本の検知電極とが互いに交差するように配置されるとともに、前記駆動電極と前記検知電極との間に容量素子を形成することにより構成した入力装置であって、
前記検知電極は、前記表示装置の前記走査信号線に平行となるように、前記走査信号線のＮ本のラインブロックそれぞれに対応させて配置され、
タッチ検出期間において、前記駆動電極に駆動信号を印加するとともに、前記検知電極それぞれから出力される検出信号を検出することによりタッチ位置の検出を行うように構成したことを特徴とする入力装置。
【請求項４】
前記タッチ検出期間は、前記走査信号が印加されている走査信号線の前記ラインブロックに対応した前記検知電極における検知動作は行わず、走査信号が印加されていない走査信号線の前記ラインブロックに対応した前記検知電極において検知動作を行うように構成されている請求項３に記載の入力装置。
【請求項５】
前記検知電極および前記駆動電極の少なくとも一方の電極は、前記表示装置の内部に前記走査信号線に平行、または、前記走査信号線と交差するように配置されている請求項１または３に記載の入力装置。
【請求項６】
複数の画素電極およびこの画素電極に対向するように設けた共通電極を有し、前記画素電極への電圧印加を制御するスイッチング素子に順次走査信号を印加して表示の更新を行う液晶パネルと、複数本の駆動電極と複数本の検知電極とが互いに交差するように配置されるとともに前記駆動電極と前記検知電極との間に容量素子を形成することにより構成され、かつ、前記検知電極および前記駆動電極の少なくとも一方の電極は前記液晶パネル内部に配置した入力装置とを備えた液晶表示装置であって、
前記検知電極は前記液晶パネルの走査信号線に平行となるように配置するとともに、前記駆動電極は前記検知電極に交差するように配置し、タッチ検出期間において、前記駆動電極に駆動信号を印加するとともに、前記検知電極それぞれから出力される検出信号を検出することによりタッチ位置の検出を行うように構成したことを特徴とする液晶表示装置。
【請求項７】
前記タッチ検出期間は、前記走査信号が印加されている走査信号線に近接した検知電極における検知動作は行わず、走査信号が印加されていない走査信号線に近接した検知電極において検知動作を行うように構成されている請求項６に記載の液晶表示装置。
【発明の詳細な説明】
【技術分野】
【０００１】
本技術は、画面上のタッチ位置を検出してデータ入力が可能な静電容量結合方式の入力装置、および、当該入力装置と表示素子としての液晶パネルとを備えた液晶表示装置に関するものである。
【背景技術】
【０００２】
表示画面に使用者の指などでタッチ操作することで情報を入力する、画面入力機能をもつ入力装置を備えた表示装置は、ＰＤＡや携帯端末などのモバイル用電子機器、各種の家庭電気製品、無人受付機等の据置型顧客案内端末等に用いられている。このようなタッチ操作による入力装置としては、タッチされた部分の抵抗値変化を検出する抵抗膜方式、あるいは容量変化を検出する静電容量結合方式、タッチにより遮蔽された部分の光量変化を検出する光センサ方式など、各種の方式が知られている。【０００３】
これら各種の方式の中で静電容量結合方式は、抵抗膜方式や光センサ方式と比較した場合に次のような利点がある。例えば、抵抗膜方式や光センサ方式ではタッチ装置の透過率が８０％程度と低いのに対し、静電容量結合方式のタッチ装置は約９０％と透過率が高く表示画像の画質を低下させない点があげられる。また、抵抗膜方式では抵抗膜の機械的接触によりタッチ位置を検知するため、抵抗膜が劣化または破損するおそれがあるのに対し、静電容量結合方式では検出用電極が他の電極などと接触するような機械的接触がなく、耐久性の点からも有利である。【０００４】
静電容量結合方式の入力装置としては、例えば、特許文献１で開示されているような方式がある。
【先行技術文献】
【特許文献】
【０００５】
【特許文献１】特開２０１１−９０４５８号公報
【発明の概要】
【発明が解決しようとする課題】
【０００６】
本技術はこのような静電容量結合方式の入力装置において、高精細化や大型化が容易な入力装置を提供することを目的とする。また、本技術は、液晶表示パネルと、高精細化や大型化が容易な入力装置とを備えた液晶表示装置を得ることを目的とする。
【課題を解決するための手段】
【０００７】
このような課題を解決するために本技術の入力装置は、１フレーム期間中に複数の走査信号線に順次走査信号を印加して表示の更新を行う表示装置に配置され、複数本の駆動電極と複数本の検知電極とが互いに交差するように配置されるとともに、前記駆動電極と前記検知電極との間に容量素子を形成することにより構成した入力装置であって、前記検知電極は前記表示装置の前記走査信号線に平行となるように配置され、タッチ検出期間において、前記駆動電極に駆動信号を印加するとともに、前記検知電極それぞれから出力される検出信号を検出することによりタッチ位置の検出を行うように構成したことを特徴とする。【０００８】
また、本技術の他の入力装置は、Ｍ本の走査信号線からなるラインブロックをＮ本配列してなる複数本の走査信号線を有し、１フレーム期間中に前記走査信号線に順次走査信号を印加して表示の更新を行う表示装置に配置され、複数本の駆動電極と複数本の検知電極とが互いに交差するように配置されるとともに、前記駆動電極と前記検知電極との間に容量素子を形成することにより構成した入力装置であって、前記検知電極は、前記表示装置の前記走査信号線に平行となるように、前記走査信号線のＮ本のラインブロックそれぞれに対応させて配置され、タッチ検出期間において、前記駆動電極に駆動信号を印加するとともに、前記検知電極それぞれから出力される検出信号を検出することによりタッチ位置の検出を行うように構成したことを特徴とする。【０００９】
さらに、本技術の液晶表示装置は、複数の画素電極およびこの画素電極に対向するように設けた共通電極を有し、前記画素電極への電圧印加を制御するスイッチング素子に順次走査信号を印加して表示の更新を行う液晶パネルと、複数本の駆動電極と複数本の検知電極とが互いに交差するように配置されるとともに、前記駆動電極と前記検知電極との間に容量素子を形成することにより構成され、かつ、前記駆動電極および前記検知電極の少なくとも一方の電極が前記液晶パネル内部に配置された入力装置とを備えた液晶表示装置であって、前記検知電極は前記液晶パネルの走査信号線に平行となるように配置されるとともに、タッチ検出期間において、前記駆動電極に駆動信号を印加するとともに、前記検知電極それぞれから出力される検出信号を検出することによりタッチ位置の検出を行うように構成したことを特徴とする。
【発明の効果】
【００１０】
本技術によれば、静電容量結合方式の入力装置において、駆動電極と交差するように配置された検知電極を、表示装置の走査信号線に略平行となるように配置することによって、表示装置の表示更新の動作とタッチセンサの検出動作とを同時に行うことが可能となり、高精細化や大型化が容易な入力装置を提供することができる。また、表示装置としての液晶パネルと組み合わせることで、表示デバイスとして最も普及している液晶パネルと高精細化や大型化が容易な入力装置とを備えた液晶表示装置を提供することができる。
【図面の簡単な説明】
【００１１】
【図１】本実施形態にかかるタッチセンサ機能を備えた液晶表示装置の全体構成を説明するためのブロック図。
【図２】タッチセンサを構成する駆動電極と検知電極の配列の一例を示す分解斜視図。
【図３】タッチセンサの概略構成と等価回路について、タッチ操作を行っていない状態とタッチ操作を行った状態とを説明するための説明図。
【図４】タッチ操作を行っていない場合とタッチ操作を行った場合の検出信号の変化を示す説明図。
【図５】液晶パネルの走査信号線の配列構造とタッチセンサの駆動電極および検知電極の配列構造を示す概略図。
【図６】本実施形態にかかるタッチセンサ機能を備えた液晶表示装置に用いられる液晶パネルの、ＴＦＴ基板の構成を示す説明図。
【図７】本実施形態にかかるタッチセンサ機能を備えた液晶表示装置に用いられる液晶パネルの、対向基板の構成を示す説明図。
【図８】液晶パネルのひとつのサブピクセルとその周辺部の電極構成の一例を示す平面図。
【図９】液晶パネルのひとつのサブピクセルとその周辺部の電極構成の一例を示す断面図。
【図１０】液晶パネルの他の構成例における、ひとつのサブピクセルとその周辺部の電極構成の例を示す断面図。
【図１１】液晶パネルのさらに異なる構成例における、ひとつのサブピクセルとその周辺部の電極構成の例を示す断面図。
【図１２】液晶パネルの表示更新を行う走査信号線のラインブロックへの走査信号の入力と、タッチセンサでのタッチ検出を行うための駆動電極への駆動信号の印加と、検知電極での検知信号の取得との関係の一例を示す説明図。
【図１３】ラインブロック１０−１の走査信号線の走査期間における、検知電極による検知動作と駆動電極に印加される駆動信号との関係の一例を説明するための説明図。
【図１４】液晶パネルの表示更新を行う走査信号線のラインブロックへの走査信号の入力と、タッチセンサでのタッチ検出を行うための駆動電極への駆動信号の印加と、検知電極での検知信号の取得との関係の他の例を示す説明図。
【図１５】各ラインブロックの走査信号線の走査期間における、検知電極による検知動作と駆動電極に印加されるパルス電圧との関係の一例を示す説明図。
【図１６】タッチセンサを構成する駆動電極と検知電極の配列の他の例を示す分解斜視図。
【図１７】駆動電極と検知電極の配列の他の例の配置構成の場合における、液晶パネルの走査信号線の配列構造とタッチセンサの駆動電極および検知電極の配列構造を示す概略図。
【図１８】駆動電極と検知電極の配列の他の例の配置構成の場合における、タッチセンサ機能を備えた液晶表示装置の液晶パネルのＴＦＴ基板の構成を示す説明図。
【図１９】駆動電極と検知電極の配列の他の例の配置構成の場合における、タッチセンサ機能を備えた液晶表示装置の液晶パネルの対向基板の構成を示す説明図。
【図２０】本実施形態にかかる液晶表示装置における、タッチ信号を取り出す回路構成を説明する回路ブロック図。
【図２１】本実施形態にかかる液晶表示装置における、タッチ信号を取り出す回路構成の他の構成例を説明する回路ブロック図。
【図２２】本実施形態にかかる液晶表示装置における、液晶パネルの共通電極を用いて検知電極を形成する第１の形成例を示す図。
【図２３】本実施形態にかかる液晶表示装置における、液晶パネルの共通電極を用いて検知電極を形成する第２の形成例を示す図。
【発明を実施するための形態】
【００１２】
本技術の入力装置は、１フレーム期間中に複数の走査信号線に順次走査信号を印加して表示の更新を行う表示装置に配置され、複数本の駆動電極と複数本の検知電極とが互いに交差するように配置されるとともに、前記駆動電極と前記検知電極との間に容量素子を形成することにより構成した入力装置であって、前記検知電極は前記表示装置の前記走査信号線に平行となるように配置され、タッチ検出期間において、前記駆動電極に駆動信号を印加するとともに、前記検知電極それぞれから出力される検出信号を検出することによりタッチ位置の検出を行うように構成している。
【００１３】
本技術の入力装置は、１フレーム期間中に複数の走査信号線に順次走査信号を印加して表示の更新を行う表示装置の走査信号線と平行となるように、かつ、駆動電極と交差するように配置された検知電極を備え、タッチ検出期間に駆動電極に駆動信号を印加するとともに検知電極それぞれから出力される検出信号を検出することによりタッチ位置の検出を行う。このため、表示装置の表示更新の動作とタッチセンサの検出動作とを同時に行うことが可能となり、高精細化や大型化が容易な入力装置を実現することができる。
【００１４】
本技術の入力装置において、前記タッチ検出期間は、前記走査信号が印加されている前記走査信号線に近接した前記検知電極における検知動作は行わず、前記走査信号が印加されていない前記走査信号線に近接した前記検知電極において検知動作を行うように構成されていることが好ましい。このようにすることで、走査信号の印加に伴うノイズの影響を効果的に回避することができ、より精度の高いタッチ位置検出を行うことができる入力装置を得ることができる。
【００１５】
また、本技術の他の入力装置は、Ｍ本の走査信号線からなるラインブロックをＮ本配列してなる複数本の走査信号線を有し、１フレーム期間中に前記走査信号線に順次走査信号を印加して表示の更新を行う表示装置に配置され、複数本の駆動電極と複数本の検知電極とが互いに交差するように配置されるとともに、前記駆動電極と前記検知電極との間に容量素子を形成することにより構成した入力装置であって、前記検知電極は、前記表示装置の前記走査信号線に平行となるように、前記走査信号線のＮ本のラインブロックそれぞれに対応させて配置され、タッチ検出期間において、前記駆動電極に駆動信号を印加するとともに、前記検知電極それぞれから出力される検出信号を検出することによりタッチ位置の検出を行うように構成している。
【００１６】
本技術の他の入力装置は、配置される表示装置が、さらに、Ｍ本の走査信号線からなるラインブロックをＮ本配列した構成となっていて、検知電極がこのＮ本のラインブロックにそれぞれに対応させて配置されている構成を有する。このため、走査信号線が複数のラインブロックを形成している表示装置において、表示装置の表示更新の動作とタッチセンサの検出動作とを同時に行うことが可能となり、高精細化や大型化が容易な入力装置を実現することができる。
【００１７】
本技術の他の入力装置において、前記タッチ検出期間は、前記走査信号が印加されている前記走査信号線に近接した前記検知電極における検知動作は行わず、前記走査信号が印加されていない前記走査信号線に近接した前記検知電極において検知動作を行うように構成されていることが好ましい。このようにすることで、走査信号の印加に伴うノイズの影響を効果的に回避することができ、より精度の高いタッチ位置検出を行うことができる入力装置を得ることができる。
【００１８】
また、前記検知電極および前記駆動電極の少なくとも一方の電極は、前記表示装置の内部に前記走査信号線に平行、または、前記走査信号線と交差するように配置されていることが好ましい。このようにすることで、入力装置を備えた薄型の表示装置をより簡単な構成で実現することができる。
【００１９】
本技術の液晶表示装置は、複数の画素電極およびこの画素電極に対向するように設けた共通電極を有し、前記画素電極への電圧印加を制御するスイッチング素子に順次走査信号を印加して表示の更新を行う液晶パネルと、複数本の駆動電極と複数本の検知電極とが互いに交差するように配置されるとともに、前記駆動電極と前記検知電極との間に容量素子を形成することにより構成され、かつ、前記駆動電極および前記検知電極の少なくとも一方の電極が前記液晶パネル内部に配置された入力装置とを備えた液晶表示装置であって、前記検知電極は前記液晶パネルの走査信号線に平行となるように配置されるとともに、タッチ検出期間において、前記駆動電極に駆動信号を印加するとともに、前記検知電極それぞれから出力される検出信号を検出することによりタッチ位置の検出を行うように構成している。
【００２０】
本技術の液晶表示装置は、１フレーム期間中に複数の走査信号線に順次走査信号を印加して表示の更新を行う液晶パネルの走査信号線と平行となるように、かつ、駆動電極と交差するように配置された検知電極を備え、タッチ検出期間に駆動電極に駆動信号を印加するとともに検知電極それぞれから出力される検出信号を検出することによりタッチ位置の検出を行う。このため、液晶パネルでの表示更新の動作とタッチセンサの検出動作とを同時に行うことが可能となり、高精細化や大型化が容易な液晶表示装置を実現することができる。
【００２１】
本技術の液晶表示装置において、前記タッチ検出期間は、前記走査信号が印加されている走査信号線に近接した検知電極における検知動作は行わず、走査信号が印加されていない走査信号線に近接した検知電極において検知動作を行うように構成されていることが好ましい。このようにすることで、液晶パネルにおける走査信号の印加に伴うノイズの影響を効果的に回避することができ、より精度の高いタッチ位置検出を行うことができる入力装置を備えた液晶表示装置を得ることができる。
【００２２】
（実施の形態）
以下、本技術の一実施の形態にかかる入力装置について、表示装置としての液晶パネルと共に液晶表示装置に用いられるタッチセンサを例に説明する。なお、この実施形態は、本技術の液晶表示装置の実施形態を兼ねるものである。また、本実施形態は、本技術にかかる入力装置の例示に過ぎず、本技術の入力装置は、有機／無機のＥＬ（エレクトロルミネッセンス）表示装置などの液晶表示装置以外の表示装置にも適用することができる。
【００２３】
図１は、本技術の一実施の形態にかかる入力装置である、タッチセンサ機能を備えた液晶表示装置の全体構成を説明するためのブロック図である。
【００２４】
図１に示すように、液晶表示装置は、液晶パネル１、バックライトユニット２、走査線駆動回路３、映像線駆動回路４、バックライト駆動回路５、センサ駆動回路６、信号検出回路７、および、制御装置８を備えている。
【００２５】
液晶パネル１は矩形の平板形状であり、ガラス基板などの透明基板からなるＴＦＴ基板と、このＴＦＴ基板に対向するように所定の間隙を設けて配置される対向基板とを有し、ＴＦＴ基板と対向基板との間に液晶材料を封入することにより構成されている。
【００２６】
ＴＦＴ基板は、液晶パネル１の背面側に位置し、基材であるガラスなどからなる透明な基板上に、マトリクス状に配置された画素電極と、それぞれの画素電極に対応して設けられ、画素電極への電圧印加をオン／オフ制御するスイッチング素子としての薄膜トランジスタ（ＴＦＴ）と、共通電極などが形成されることにより構成されている。
【００２７】
対向基板は、液晶パネル１の前面側に位置し、基材であるガラスなどからなる透明な基板上に、ＴＦＴ基板に形成された画素電極に対応する位置に、それぞれがサブピクセルを構成する赤（Ｒ）、緑（Ｇ）、青（Ｂ）の３原色からなるカラーフィルタ（ＣＦ）が配置されている。また、対向基板には、Ｒ、Ｇ、Ｂの各サブピクセル同士の間、および／または、サブピクセルにより構成される画素の間に配置される、コントラストを向上させるための遮光材料からなるブラックマトリクスが形成されている。なお、本実施の形態では、ＴＦＴ基板の各画素電極に対応して形成されるＴＦＴとして、ｎチャネル型のＴＦＴを例に、ドレイン電極とソース電極とを備えた構成のものについて説明する。
【００２８】
ＴＦＴ基板には、複数の映像信号線９と複数の走査信号線１０とが互いに概ね直交して形成される。走査信号線１０はＴＦＴの水平列ごとに設けられ、水平列の複数のＴＦＴのゲート電極に共通に接続される。映像信号線９はＴＦＴの垂直列ごとに設けられ、垂直列の複数のＴＦＴのドレイン電極に共通に接続される。また、各ＴＦＴのソース電極には、それぞれのＴＦＴに対応した、画像表示領域に配置されている画素電極が接続される。
【００２９】
ＴＦＴ基板に形成された各ＴＦＴは、走査信号線１０に印加される走査信号に応じて水平列単位で、オン／オフ動作が制御される。オン状態とされた水平列の各ＴＦＴは、それぞれに接続された画素電極の電位を、映像信号線９に印加される映像信号に応じた電位（画素電圧）に設定する。そして、液晶パネル１は、複数の画素電極およびこの画素電極に対向するように設けた共通電極を有し、画素電極と共通電極との間に生じる電界によってそれぞれの画素電極が形成された領域ごとに液晶の配向を制御し、バックライトユニット２から入射した光に対する透過率を変えることにより、表示面に画像を形成する。
【００３０】
バックライトユニット２は、液晶パネル１の背面側に配置され、液晶パネル１の背面から光を照射するもので、例えば複数の発光ダイオードを配列して面光源を構成する構造や、導光板と拡散反射板とを組み合わせて用いることで、発光ダイオードの光を面光源とする構成の構造のものが知られている。
【００３１】
走査線駆動回路３は、ＴＦＴ基板に形成された複数の走査信号線１０に接続されている。
【００３２】
走査線駆動回路３は、制御装置８から入力されるタイミング信号に応じて走査信号線１０を順番に選択し、選択した走査信号線１０にＴＦＴをオンする電圧を印加する。例えば、走査線駆動回路３は、シフトレジスタを含んで構成され、シフトレジスタは制御装置８からのトリガ信号を受けて動作を開始し、垂直走査方向に沿った順序で走査信号線１０を順次選択し、選択した走査信号線１０に走査信号である走査パルスを出力する。
【００３３】
映像線駆動回路４は、ＴＦＴ基板に形成された複数の映像信号線９に接続されている。
【００３４】
映像線駆動回路４は、走査線駆動回路３による走査信号線１０の選択に合わせて、選択された走査信号線１０に接続されるＴＦＴそれぞれに、各サブピクセルの階調値を表す映像信号に応じた電圧を印加する。これにより、選択された走査信号線１０に対応するサブピクセルに配置されている各画素電極に、映像信号が書き込まれる。
【００３５】
バックライト駆動回路５は、制御装置８から入力される発光制御信号に応じたタイミングや輝度でバックライトユニット２を発光させる。
【００３６】
液晶パネル１には、入力装置であるタッチセンサを構成する電極として、複数の駆動電極１１と複数の検知電極１２とが互いに交差するように配置されている。
【００３７】
これらの駆動電極１１および検知電極１２により構成されるタッチセンサは、駆動電極１１と検知電極１２との間で、電気信号の入力と静電容量変化による応答検出とを行い、表示面への物体の接触を検出する。この接触を検出する電気回路として、センサ駆動回路６および信号検出回路７が設けられている。
【００３８】
センサ駆動回路６は、交流信号源であり、駆動電極１１に接続される。例えば、センサ駆動回路６は制御装置８からタイミング信号が入力され、駆動電極１１を順番に選択し、選択した駆動電極１１に矩形状のパルス電圧による駆動信号Ｔｘｖを印加する。
【００３９】
駆動電極１１および映像信号線９は、ＴＦＴ基板に垂直方向に延在するように形成され、水平方向に複数本が配列されている。これらの駆動電極１１および映像信号線９に電気的に接続されるセンサ駆動回路６および映像線駆動回路４は、画素が配列される画像表示領域の水平な辺に沿って配置することができ、本実施形態の液晶表示装置では、上下の辺の一方に映像線駆動回路４を配置し、他方にセンサ駆動回路６を配置している。
【００４０】
信号検出回路７は、静電容量変化を検出する検出回路であり、検知電極１２に接続される。信号検出回路７は、検知電極１２ごとに検出回路を設け、検知電極１２の電圧を検出信号Ｒｘｖとして検出する構成としている。なお、信号検出回路の他の構成例として、複数本の検知電極１２の群に対して１つの信号検出回路を設け、駆動電極１１に印加されるパルス電圧の持続時間内において、複数本の検知電極１２での検出信号Ｒｘｖの電圧監視を時分割で行い、それぞれの検知電極１２からの検出信号Ｒｘｖを検出するように構成してもよい。
【００４１】
表示面上での物体の接触位置、すなわちタッチ位置は、どの駆動電極１１に駆動信号Ｔｘｖを印加したときに、どの検知電極１２で接触時の検知信号Ｒｘｖが検出されたかに基づいて求められ、それら駆動電極１１と検知電極１２との交点が接触位置として演算により求められる。なお、接触位置を求める演算方法としては、液晶表示装置内に演算回路を設けて行う方法や、液晶表示装置の外部の演算回路により行う方法がある。
【００４２】
制御装置８は、ＣＰＵなどの演算処理回路、および、ＲＯＭやＲＡＭなどのメモリを備えている。制御装置８は、入力される映像データに基づき、色調整などの各種の画像信号処理を行って各サブピクセルの階調値を示す画像信号を生成し、映像線駆動回路４に印加する。また、制御装置８は、入力された映像データに基づき、走査線駆動回路３、映像線駆動回路４、バックライト駆動回路５、センサ駆動回路６および信号検出回路７の動作の同期をとるためのタイミング信号を生成し、それら回路に印加する。また、制御装置８は、バックライト駆動回路５への発光制御信号として、入力された映像データに基づいて発光ダイオードの輝度を制御するための輝度信号を供給する。
【００４３】
本実施形態で説明する液晶表示装置では、液晶パネル１の各信号線や電極に接続される走査線駆動回路３、映像線駆動回路４、センサ駆動回路６、および、信号検出回路７は、フレキシブル配線板、プリント配線板およびガラス基板に各回路の半導体チップを搭載することにより構成している。しかし、走査線駆動回路３、映像線駆動回路４、センサ駆動回路６は、ＴＦＴ基板上に、ＴＦＴなどとともに半導体回路素子などの所定の電子回路を同時に形成することにより搭載してもよい。
【００４４】
図２はタッチセンサを構成する駆動電極と検知電極の配列の一例を示す斜視図である。
【００４５】
図２に示すように、入力装置としてのタッチセンサは、図２の左右方向に延在する複数本のストライプ状の電極パターンである検知電極１２と、検知電極１２の電極パターンの延在方向と交差する方向に延びる複数本のストライプ状の電極パターンである駆動電極１１とから構成されている。それぞれの駆動電極１１と検知電極１２とが互いに交差した交差部分それぞれに、静電容量を持つ容量素子が形成される。なお、本実施の形態にかかる液晶表示装置において、検知電極１２は、液晶パネルにおいて画像表示に用いられる画素電極を用いて形成することができ、また、液晶パネル１内に所定の電極を配置して形成することができる。
【００４６】
また、検知電極１２は、走査信号線１０が延在する方向に対して平行となるように配置されている。本明細書において、検知電極と走査信号線とが平行となるように配置されているとは、検知電極と走査信号線とが同じ方向に向いて延在して配置されていることを言い、検知電極と走査信号線とが物理的に完全に平行である状態を規定するものではない。
【００４７】
そして、検知電極１２は、後で詳細に説明するとおり、Ｍ（Ｍは自然数）本の走査信号線を１ラインブロックとしたとき、複数のＮ（Ｎは自然数）本のラインブロックそれぞれに対応するように配置され、ラインブロックごとに検知信号を検出するように構成されている。
【００４８】
タッチ位置の検出動作を行う際は、センサ駆動回路６から列方向（垂直方向）に配置された駆動電極１１それぞれに対して、一例として図２中に走査方向として示す方向（左側から右側）に順次駆動信号Ｔｘｖが印加され、検出対象となるラインブロックに対応して配置された検知電極１２から検出信号Ｒｘｖを検出することによって、ラインブロックに対応したタッチ位置の検出が行われる。
【００４９】
次に、静電容量方式のタッチセンサにおけるタッチ位置の検出原理（電圧検知方式）について、図３、図４を用いて説明する。
【００５０】
図３（ａ）、図３（ｂ）は、タッチセンサの概略構成と等価回路について、タッチ操作を行っていない状態（図３（ａ））とタッチ操作を行った状態（図３（ｂ））とを説明する図である。図４は、図３に示したような、タッチ操作を行っていない場合とタッチ操作を行った場合との検出信号の変化を示す説明図である。
【００５１】
静電容量方式のタッチセンサは、図２に示すように、互いに交差するようにマトリクス状に配置された一対の駆動電極１１と検知電極１２との交差部が、図３（ａ）に示すように、誘電体Ｄを挟んで対向配置していることにより容量素子を構成している。等価回路は、図３（ａ）の図中右側に示すように表わされ、駆動電極１１、検知電極１２および誘電体Ｄによって、容量素子Ｃ１が構成される。容量素子Ｃ１は、その一端が交流信号源としてのセンサ駆動回路６に接続され、他端Ｐは抵抗器Ｒを介して接地されるとともに、電圧検出器としての信号検出回路７に接続される。
【００５２】
交流信号源としてのセンサ駆動回路６から駆動電極１１（容量素子Ｃ１の一端）に、数十ｋＨｚ〜数百ｋＨｚ程度の所定の周波数のパルス電圧による駆動信号Ｔｘｖ（図４）を印加すると、検知電極１２（容量素子Ｃ１の他端Ｐ）に、図４に示すような出力波形（検出信号Ｒｘｖ）が現れる。
【００５３】
指が接触（または近接）していない状態では、図３（ａ）に示すように、容量素子Ｃ１に対する充放電に伴って、容量素子Ｃ１の容量値に応じた電流Ｉ０が流れる。このときの容量素子Ｃ１の他端Ｐの電位波形は、図４の波形Ｖ０のようになり、これが電圧検出器である信号検出回路７によって検出される。
【００５４】
一方、指が接触（または近接）した状態では、図３（ｂ）に示すように、等価回路は、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、図４の波形Ｖ１のようになり、これが電圧検出器である信号検出回路７によって検出される。このとき、点Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。
【００５５】
信号検出回路７は、検知電極１２それぞれから出力される検出信号の電位を所定のしきい値電圧Ｖｔｈと比較し、このしきい値電圧以上であれば非接触状態と判断し、しきい値電圧未満であれば接触状態と判断する。このようにして、タッチ検出が可能となる。なお、タッチ位置の検出を行うために、図４に示したような電圧の大きさによって判別する方法以外の静電容量の変化を検知する方法として、電流を検知する方法等がある。
【００５６】
図５は、液晶パネルの走査信号線の配列構造とタッチセンサの駆動電極および検知電極の配列構造を示す概略図である。
【００５７】
図５に示すように、水平方向に延在する走査信号線１０は、Ｍ（Ｍは自然数）本の走査信号線Ｇ１−１、Ｇ１−２・・・Ｇ１−Ｍを１ラインブロックとし、複数のＮ（Ｎは自然数）本のラインブロック１０−１、１０−２・・・１０−Ｎに分割して配列されている。
【００５８】
タッチセンサの検知電極１２は、ラインブロック１０−１、１０−２・・・１０−Ｎにそれぞれ対応させて、Ｎ本の検知電極１２−１、１２−２・・・１２−Ｎが水平方向に延在するように配列されている。そして、Ｎ本の検知電極１２−１、１２−２・・・１２−Ｎと交差するように、複数本の駆動電極１１（Ｔｘ−１、Ｔｘ−２、・・・、Ｔｘ−ｋ）が配列されている。
【００５９】
すなわち、表示装置である液晶パネル１は、Ｍ本の走査信号線からなるラインブロックをＮ本配列してなる複数本の走査信号線１０を有し、１フレーム期間中に順次走査信号を印加して表示の更新を行うように構成されている。入力装置であるタッチセンサを構成する検知電極１２は、走査信号線１０に平行となるように、かつ、走査信号線１０のＮ個のラインブロック１０−１、１０−２・・・１０−Ｎにそれぞれ対応するように、検知電極１２−１、１２−２・・・１２−Ｎが配置されている。駆動電極１１は、検知電極１２−１、１２−２・・・１２−Ｎに略直交して交差するように絶縁体層を介して配置され、駆動電極と検知電極との間の交差部分それぞれに、実質的に図３に示した容量素子Ｃ１が形成されることにより構成されている。タッチセンサは、タッチ検出期間において、駆動電極１１に順次駆動信号を印加するとともに、検知電極１２−１、１２−２・・・１２−Ｎそれぞれから出力される検出信号を検出することにより、タッチ位置の検出を行うように構成されている。
【００６０】
図６、図７は、本技術の一実施形態にかかるタッチセンサ機能を備えた液晶表示装置の液晶パネルの構成を示す説明図である。図６は、液晶パネルのＴＦＴ基板の構成を示す概略平面図であり、図７は、ＴＦＴ基板に対向して配置される対向基板の構成を示す概略平面図である。なお、図６、図７は、それぞれの基板を液晶パネル１の前面側、すなわち、観視者が表示される画像を見る方向から見た状態を示している。
【００６１】
図６に示すように、液晶パネル１のＴＦＴ基板１ａ上には、マトリクス状に配置されそれぞれが一つのサブピクセルに相当する画素電極と、各画素電極に対応して設けられ画素電極への電圧印加をオン／オフ制御するスイッチング素子としての薄膜トランジスタ（ＴＦＴ）と、画素電極との間に絶縁層を介して配置された共通電極などが形成されることにより、液晶パネル１での画像表示を行う領域である画像表示領域１３が形成されている。なお、図６においては、図面の煩雑化を避けるために画素表示領域１３のみを示し、画素電極やＴＦＴ、共通電極の図示は省略する。
【００６２】
また、ＴＦＴ基板１ａ上には、映像信号線９に接続される映像線駆動回路４と、走査信号線１０に接続される走査線駆動回路３とが配置されている。なお、図１を用いて説明したように、ＴＦＴ基板１ａ上には、複数の映像信号線９と複数の走査信号線１０とが互いに概ね直交するように配置され、走査信号線１０は各画素電極に対応するＴＦＴの水平列方向に設けられ、複数のＴＦＴのゲート電極に共通に接続される。また、映像信号線９は各画素電極に対応するＴＦＴの垂直列方向に設けられ、複数のＴＦＴのドレイン電極に共通に接続される。また、各ＴＦＴのソース電極にはそれぞれのＴＦＴに対応する画像表示領域に配置されている画素電極が接続される。
【００６３】
図７に示すように、液晶パネル１の対向基板１ｂは、液晶パネル１の前面側に位置していて、対向基板１ｂを構成する透明なガラス基板のＴＦＴ基板と対向する側の面上には、ＴＦＴ基板上に形成された画素電極に対応する位置に、赤（Ｒ）、緑（Ｇ）、青（Ｂ）の各サブピクセルを構成するための３原色のカラーフィルタと、Ｒ、Ｇ、Ｂの各サブピクセル間にコントラストを向上させるための遮光材料からなる遮光部であるブラックマトリクスが形成されている。図７では、図面の煩雑化を避けるために、カラーフィルタとブラックマトリクスの図示は省略し、これらが配置されている領域を画像表示領域１３として示している。
【００６４】
本実施形態の液晶表示装置に用いられる液晶パネル１では、ＴＦＴ基板１ａ側に検知電極１２が配置されている。また、対向基板１ｂに、ＴＦＴ基板１ａに配置された検知電極１２と交差するように、ストライプ状の駆動電極１１が配置されている。より具体的には、検知電極１２は、図６に示すように、ＴＦＴ基板１ａ上の画像表示領域１３において画素電極と絶縁層を介して対向するように配置された共通電極を水平方向に伸延する切断線で切断することで、それぞれが画素配列の行方向の配列方向（水平方向）に延在する複数本の検知電極１２として形成されている。また、駆動電極１１は、図７に示すように、対向基板１ｂのカラーフィルタ層などが形成されている面とは異なる前面側（観視者側）の面上に、インジウム錫酸化物（ＩＴＯ）やインジウム亜鉛酸化物（ＩＺＯ）など周知の透明導電性部材をパターニングすることによって、画素配列の列方向（垂直方向）に延在する複数本の駆動電極１１として形成されている。
【００６５】
なお、本実施形態で説明する液晶パネル１では、図６、図７に示すように、駆動電極１１および検知電極１２を、図６および図７では図示しないセンサ駆動回路６および信号検出回路７にフレキシブル配線板（ＦＰＣ）等を介して電気的に接続するための端子引出部１７ａ、１７ｂが設けられている。端子引出部１７ａ、１７ｂは、抵抗値を下げて検出精度と検出速度を向上するために、幅が広いいわゆるベタパターン状に形成されている。また、端子引出部を構成する材料としては、低抵抗の金属材料（アルミニウム、銅等）を用いることが好ましい。
【００６６】
なお、図６において、ＴＦＴ基板１ａ上において画像表示領域の右側に走査線駆動回路３が、また、画像表示領域１３の下側に映像線駆動回路４が、それぞれ配置された構成を示したが、走査線駆動回路３および映像線駆動回路４の配置位置はこれらに限られず、走査線駆動回路３および映像線駆動回路４をＴＦＴ基板１ａ上に配置する場合には、画像表示領域１３の周辺部分の任意の場所に配置することができる。なお、映像信号線９と走査信号線１０の延在方向から、走査線駆動回路３が画像表示領域１３の左右いずれかの側方に、映像線駆動回路４が画像表示領域の上下いずれかの位置に配置されることが多い。また、ＦＰＣなどを介して、走査線駆動回路３および映像線駆動回路４をＴＦＴ基板上以外の場所に配置することもできる。
【００６７】
図８は、図６にＡ部として示した部分における、液晶パネルのＴＦＴ基板上に形成された一つのサブピクセルと、その周辺部の電極構成の一例を示す部分拡大平面図である。
【００６８】
図８に示すように、本実施形態で説明する液晶パネル１では、ＴＦＴ基板１ａの液晶層側（前面側）の面には、インジウム錫酸化物（ＩＴＯ）やインジウム亜鉛酸化物（ＩＺＯ）などの透明導電材からなる画素電極１９と、画素電極１９にソース電極を接続したＴＦＴ２０と、ＴＦＴ２０のゲート電極に接続された走査信号線１０と、ＴＦＴ２０のドレイン電極に接続された映像信号線９とが適宜絶縁層を介しながら積層形成されている。
【００６９】
ＴＦＴ２０は、半導体層、および半導体層にそれぞれオーミック接続されるドレイン電極およびソース電極を有し、ソース電極は図示しないコンタクトホールを介して画素電極１９に接続されている。半導体層の下層には、走査信号線１０に接続されるゲート電極が形成されている。
【００７０】
なお、図８に示す例は、本実施形態にかかる液晶表示装置に用いられる液晶パネルとして、ＩＰＳ方式と呼ばれる、液晶層に対して横方向の電界がかかる方式の液晶パネルが用いられた場合の例であり、画素電極１９と共通電極との間の電界が１つのサブピクセルを構成する有効領域の液晶層に及ぶように、画素電極１９は櫛歯形状に形成されている。また、画素電極１９が形成されていてその部分の液晶層が画像表示に寄与する有効領域を囲むように、その部分の液晶層が画像表示に寄与しない境界領域が設けられ、その境界領域に、走査信号線１０と映像信号線９が配置され、これらの交点近傍にＴＦＴ２０が配置されている。
【００７１】
また、図８には図示していないが、画素電極１９の下層には、層間絶縁膜を挟んで画素電極１９と対向するように、すなわち、液晶パネル１の厚さ方向において画素電極１９と重なる位置に、共通電極が形成されている。なお、共通電極は、少なくとも画素電極１９が配されている有効領域と重なる部分では、ほぼ面状（いわゆるベタパターン状）に形成されている。そして、図８に示す本実施形態の液晶パネル１では、この共通電極を走査信号線１０の配置方向と平行な方向にスリットを設けて分断し、走査信号線１０に平行となるように複数本が配置されたタッチセンサの検知電極１２として兼用して使用している。
【００７２】
図９は、図６においてＡ部として示した領域、すなわち、図８に平面構成を示した領域の概略断面図である。
【００７３】
図９に示すように、液晶パネル１は、ガラス基板などの透明基板からなるＴＦＴ基板１ａと、このＴＦＴ基板１ａに対向するように所定の間隙を設けて配置される対向基板１ｂとを有し、ＴＦＴ基板１ａと対向基板１ｂとの間に液晶層を形成する液晶材料１ｃを封入することにより構成されている。
【００７４】
ＴＦＴ基板１ａは、液晶パネル１の背面側に位置し、ＴＦＴ基板１ａの本体を構成する透明基板の表面に、マトリクス状に配置された画素電極１９と、それぞれの画素電極１９に対応して設けられ、画素電極１９への電圧印加をオン／オフ制御するスイッチング素子としてのＴＦＴと、画素電極１９と層間絶縁層２３を介して積層して形成されている共通電極２４を備えている。なお、上述のように、本実施形態にかかる液晶パネル１の共通電極２４は、タッチセンサの検知電極１２を兼ねている。
【００７５】
対向基板１ｂは、液晶パネル１の前面側に位置し、対向基板１ｂ本体を構成する透明な基板のＴＦＴ基板１ａ側に、ＴＦＴ基板１ａに形成された画素電極１９に対応するように液晶パネル１の厚さ方向において重なる位置に、赤（Ｒ）、緑（Ｇ）、青（Ｂ）のサブピクセルをそれぞれ構成するための３原色のカラーフィルタ２１Ｒ、２１Ｇ、２１Ｂが形成されている。また、これらＲ、Ｇ、Ｂのサブピクセルの間と３つのサブピクセルから構成される一つの画素間に配置され、表示される画像のコントラストを向上させるための遮光材料からなる遮光部であるブラックマトリクス２２が形成されている。
【００７６】
また、本実施形態で説明する液晶パネル１では、対向基板１ｂの観視者側の表面に駆動電極１１が形成されている。この駆動電極１１は、上記したようにインジウム錫酸化物（ＩＴＯ）やインジウム亜鉛酸化物（ＩＺＯ）などの透明導電材をパターニングすることで所定の形状に形成されている。
【００７７】
なお、詳細な説明は省略するが、図９に示すように、通常のアクティブマトリクスの液晶パネルと同様、ＴＦＴ基板１ａに形成される電極や配線等の所定の電圧が印加される各構成要素間には、層間絶縁膜２３が形成されている。
【００７８】
上述したように、ＴＦＴ基板１ａには、ＴＦＴ２０のドレイン電極に接続される複数の映像信号線９と、ゲート電極に接続される複数の走査信号線１０とが互いに直交するように配置されている。走査信号線１０はＴＦＴの水平列ごとに設けられ、水平列の複数のＴＦＴ２０のゲート電極に共通に接続される。映像信号線９はＴＦＴ２０の垂直列ごとに設けられ、垂直列の複数のＴＦＴ２０のドレイン電極に共通に接続されている。また、各ＴＦＴ２０のソース電極にはＴＦＴ２０に対応する画素電極１９が接続される。
【００７９】
図１０は、本実施形態で説明する液晶パネルにおいて、液晶パネル内に形成されたタッチセンサの検知電極を形成場所が異なる第１の例を示す断面図である。なお、図１０は図９と同様に、図６におけるＡ部、すなわち、図８に平面構成を示した部分の断面構成を示している。
【００８０】
図１０に示す、検知電極１２の配置位置の異なる第１の例では、タッチセンサを構成する一方の電極である検知電極１２を、図９に示した構成のように液晶パネル１の共通電極を検知電極１２として兼用するのではなく、ＴＦＴ基板１ａにおいて画素電極１９が形成されている層間絶縁膜２３上であって、画素電極１９が配置されている有効領域の周辺の、液晶パネル１での画像表示に寄与しない境界領域に検知電極１２が形成されている。なお、図８のような平面構成の図示は省略するが、検知電極１２の配置位置の異なる第１の例では、画素電極１９の周囲の映像信号線９および走査信号線１０（図８参照）に重なるように、枠状の電極を形成して、この枠状電極を垂直および水平方向に適宜接続して、全体として図６に示すような水平方向に延在する複数本の検知電極１２を構成するものである。また、図１０に断面構成を示す他の構成例の検知電極１２は、液晶パネル１における画像表示のための電極以外の電極を付加することにより形成されるものであるため、図１０に示す構成例では、共通電極は水平方向に延在するスリットによって分断される構成とはなっていない。
【００８１】
図１０に示す、画素電極１９の周辺部分ら形成された検知電極１２は、例えば、アルミニウムや銅などの金属材料と、これを覆うインジウム錫酸化物（ＩＴＯ）から形成される。
【００８２】
図１１は、本実施形態で説明する液晶パネルにおいて、液晶パネル内に形成されたタッチセンサの検知電極の形成場所の異なる第２の例を示す断面図である。なお、図１１も、図９および図１１と同様に、図６におけるＡ部の断面構成を示している。
【００８３】
図１１に示す、検知電極１２の配置位置の異なる第２の例では、タッチセンサを構成する一方の電極である検知電極１２を、対向基板１ｂにおいて、サブピクセルを形成する有効領域の周囲の境界領域に配置されているブラックマトリクス２２層上、すなわち、ブラックマトリクス２２層の液晶層側に配置されている。なお、タッチセンサの検知電極の形成場所の異なる第２の例においても図８のような平面構成の図示は省略するが、上記第１の例と同様に、ＴＦＴ基板１ａにおける画素電極１９の周囲の映像信号線９および走査信号線１０と対向する位置の、対向基板１ｂのブラックマトリクス層２２上に枠状の電極を形成して、この枠状電極を垂直および水平方向に適宜接続して、全体として図６に示すような水平方向に延在する複数本の検知電極１２を構成するものである。また、図１１に断面構成を示す他の構成例の検知電極１２も、液晶パネル１における画像表示のための電極以外の電極を付加することにより形成されるものであるため、共通電極は水平方向に延在するスリットによって分断される構成とはなっていない。図１１に示す、対向基板１ｂのブラックマトリクス２２上に配置された検知電極１２は、例えば、アルミニウムや銅などの金属材料から形成される。
【００８４】
図１０に示した検知電極１２の配置位置の異なる第１の構成例、図１１で示した第２の構成例共に、駆動電極１１は図９に示した構成例と同じく、対向基板１ｂの観視者側の表面にインジウム錫酸化物（ＩＴＯ）やインジウム亜鉛酸化物（ＩＺＯ）などの透明導電材をパターンニングして垂直方向に延在する複数の電極として形成されている。
【００８５】
また、図１０に示す第１の構成例、図１１に示す第２の構成例においても、液晶パネル１の画像表示に関する部分の構成は図９を用いて示したものと同様な構成である。すなわち、液晶パネル１は、ガラス基板などの透明基板からなるＴＦＴ基板１ａと、このＴＦＴ基板１ａに対向するように所定の間隙を設けて配置される対向基板１ｂとを有し、ＴＦＴ基板１ａと対向基板１ｂとの間に液晶層である液晶材料１ｃを封入することにより構成されている。また、ＴＦＴ基板１ａは、液晶パネル１の背面側に位置し、ＴＦＴ基板１ａの本体を構成する透明基板の表面に、マトリクス状に配置された画素電極１９と、それぞれの画素電極１９に対応して設けられ、画素電極１９への電圧印加をオン／オフ制御するスイッチング素子としてのＴＦＴと、画素電極１９と層間絶縁層を介して積層して形成されている共通電極２４などが形成されている。さらに、対向基板１ｂは、液晶パネル１の前面側に位置し、対向基板１ｂ本体を構成する透明な基板に、ＴＦＴ基板１ａに形成された画素電極１９に対応するように液晶パネル１の厚さ方向において重なる位置に、赤（Ｒ）、緑（Ｇ）、青（Ｂ）のサブピクセルをそれぞれ構成するための３原色のカラーフィルタ２１Ｒ、２１Ｇ、２１Ｂと、Ｒ、Ｇ、Ｂのサブピクセルの間と３つのサブピクセルから構成される一つの画素間に配置され、表示される画像のコントラストを向上させるための遮光材料からなる遮光部であるブラックマトリクス２２が形成されている。
【００８６】
このように、本実施形態の液晶表示装置では、検知電極１２を共通電極と兼用するものとして、また、ＴＦＴ基板１ａ上に形成された画素電極１９の周囲を囲む境界領域に相当する部分の、ＴＦＴ基板１ａ上、もしくは、対向基板１ｂ上に、有効領域、すなわち、一つのサブピクセルを構成する領域の周辺を囲むような格子状に形成され、これを適宜水平方向および垂直方向に接続することで、図２に示したような、水平方向に延在して配置された複数本の電極として構成することができる。このように検知電極１２を形成することで、対向基板１ｂの観視者側の表面に形成された駆動電極１１と検知電極１２とが、互いに交差するように配置され、交差部分に容量素子が形成されて、静電容量型のタッチセンサとして機能する。
【００８７】
次に、本実施形態にかかる液晶表示装置における、タッチセンサによるタッチ位置の検出動作について説明する。
【００８８】
図１２は、本実施形態で説明する液晶パネルにおいて、表示画像を更新する表示更新を行う走査信号線の各ラインブロックへの走査信号の入力タイミングと、タッチセンサでタッチ位置検出を行うための、駆動電極への駆動信号の印加と検知電極での検知信号の取得動作のタイミングとの関係の一例を示す説明図である。図１２（ａ）〜図１２（ｆ）は、走査信号線のラインブロックがそれぞれ走査される期間の状態を示している。
【００８９】
図１２（ａ）に示すように、一番上のラインブロック１０−１の走査信号線それぞれに走査信号を順次入力している走査期間において、各駆動電極１１には、１回以上の駆動信号Ｔｘｖが、順次図中矢印で示す水平方向に順次走査するように供給される。このとき、走査信号が入力されているラインブロック１０−１に対応する検知電極１２−１は、検知動作を行わず、走査信号が入力されていない走査信号線のライブロックに対応して配置されている検知電極１２−１以外の他の検知電極１２（１２−２〜１２−Ｎ）は検知動作を行い、検出信号Ｒｘｖを出力する。
【００９０】
次に、図１２（ｂ）に示すように、２番目のラインブロック１０−２の走査信号線それぞれに走査信号を順次入力している走査期間において、各駆動電極１１には、１回以上の駆動信号Ｔｘｖが順次走査するように供給される。このとき、走査信号が入力されているラインブロックである、ラインブロック１０−２に対応する検知電極１２−２は検知動作を行わず、検知電極１２−２以外の他の検知電極１２（１２−１、１２−３〜１２−Ｎ）は検知動作を行い、検出信号Ｒｘｖを出力する。
【００９１】
以下、図１２（ｃ）〜図１２（ｆ）に示すように、ラインブロック１０−３、１０−４、１０−５・・・１０−Ｎの走査信号線それぞれに走査信号を順次入力している走査期間が順次進行するのに対応し、走査信号が入力されているタイミングのラインブロック１０−３、１０−４、１０−５・・・１０−Ｎに対応する検知電極１２−３、１２−４、１２−５・・１２−Ｎが検知動作を行わず、それ以外の検知電極１２が検知動作を行い、検出信号Ｒｘｖを出力する。このとき、ラインブロックごとの走査信号線それぞれに走査信号を順次入力している走査期間ごとに、各駆動電極１１には１回以上の駆動信号Ｔｘｖが供給される。
【００９２】
すなわち、本実施形態の液晶表示装置においては、走査信号線に走査信号を印加していないラインブロックに対応する複数の検知電極１２を用いて検知動作を行うように構成している。走査信号線に走査信号が印加され、当該走査信号線に接続されたＴＦＴがオンすることにより、オンとなったＴＦＴに対応する画素電極に映像信号線からの電圧が印加される。このような画像表示の更新動作が行われると、画素電極の電圧が上昇もしくは下降するため、画素電極と検知電極との間の容量結合によって電荷が移動して、検知電極１２にタッチ動作とは無関係な電荷の移動が生じるとこれがタッチ位置検出信号のノイズとなる。また、走査信号が印加される走査信号線と検知電極との容量結合によっても電荷が移動し、この電荷の移動がタッチ位置検出信号のノイズとなる。そこで、本実施形態にかかる液晶表示装置が備えるタッチセンサでは、図１２に示すような、走査信号線が選択されたラインブロックに配置されている検知電極からは検出信号Ｒｘｖを出力させない検知動作を行うことにより、検知電極１２がノイズを検出することが回避されて、タッチセンサのタッチ位置検出感度を高めることができる。
【００９３】
図１３（ａ）、図１３（ｂ）は、図１２（ａ）として示した、ラインブロック１０−１の走査信号線が走査されている走査期間における、検知電極による検知動作と駆動電極に印加される駆動信号との関係の一例を説明するための説明図である。なお、図１３（ａ）、図１３（ｂ）では、いずれも、ラインブロック１０−１の走査信号線の走査期間に、１本の駆動電極１１に駆動信号として２個のパルス波形が印加された場合の例を示している。
【００９４】
図１３（ａ）、図１３（ｂ）においてそれぞれその上段に示すように、タッチ検出期間においては、走査信号が印加されているラインブロック１０−１に対応する検知電極１２−１は停止していて検知動作を行わず、検知電極１２−１以外の検知電極は検知動作を行う。また、図１３（ａ）、図１３（ｂ）のそれぞれ下段に示すように、駆動電極Ｔｘ−１〜Ｔｘ−ｋには、０Ｖ（＝ＧＮＤ）レベルの電圧０と駆動信号の振幅分αとの間の電位差を有するパルス波形が順次印加される。
【００９５】
図１３（ａ）において、駆動電極Ｔｘ−１にパルス電圧が印加された後に、次の駆動電極Ｔｘ−２にパルス電圧が印加され、続いて順次パルス電圧が次の駆動電極に印加される。最後の駆動電極Ｔｘ−ｋにパルスが印加された後、再び最初の駆動電極Ｔｘ−１にパルス電圧が印加され、続いて次の駆動電極Ｔｘ−２にパルス電圧が印加され、最後の駆動電極Ｔｘ−ｋまで順次パルス電圧が印加されて、ラインブロック１０−１の走査信号線の走査期間が終了するまでの間に、２回走査するように各駆動電極１２に順次駆動信号であるパルス電圧が印加される。
【００９６】
次のラインブロック１０−２の走査信号線が走査される期間においては、最初のラインブロック１０−１の走査期間においての動作と同様に、各駆動電極（Ｔｘ−１〜Ｔｘ−ｋ）に順次２回の走査を行うようにして駆動信号が印加される。以下、３つめ以降のラインブロック１０−３から１０−Ｎの走査信号線の走査期間にも、同じように駆動電極Ｔｘ−１〜Ｔｘ−ｋに順次駆動信号が印加される。
【００９７】
図１３（ａ）は、各駆動電極に１個のパルス波形を順次印加していき、２回の順次走査を行うことで全体として一つの駆動電極に２個のパルス波形を印加する場合の例である。また、一つのラインブロックに配置された走査信号線の走査期間に、それぞれの駆動電極に２個の駆動信号パルスを印加する方法として、図１３（ｂ）に示すように、各駆動電極に対して１度に２個のパルス波形を連続して印加しながら、全体を１回順次走査する方法を採用することができる。
【００９８】
図１３（ｂ）に示すように、一つ目のラインブロック１０−１の走査信号線が走査されている期間に、２個のパルス波形を全ての駆動電極を走査するように順次印加して、ラインブロック１０−１以外のラインブロックに対応する検知電極（１２−２〜１２−Ｎ）から検知信号を出力させることができる。この場合も、図１３（ａ）で示した場合と同様に、２つ目以降の全てのラインブロックの走査信号線が走査される期間において、全ての駆動電極に順次２個のパルス波形の駆動信号を印加して、選択されていないラインブロックに対応する検知電極からの検知信号を出力させることができる。
【００９９】
なお、図１３（ａ）、図１３（ｂ）に示すように、一つのラインブロックが選択されている期間に２個の駆動信号パルスを印加して、それぞれの検知電極におけるタッチ位置を２回ずつ検出することにより、１回ずつの駆動信号パルスを印加する場合と比較してタッチ位置を検出する頻度が増えるためにタッチ位置の検出精度を向上させることができる。さらに、駆動電極１２に印加される駆動信号パルス回数を３回以上に増やすことで、タッチ位置の検出精度をさらに向上させることが可能となる。
【０１００】
また、図１３（ａ）、図１３（ｂ）では図示していないが、検知電極の電圧は共通電極の電圧と同電位に設定している。図９に断面構成を示した、液晶パネル１において共通電極２４と検知電極１２とを兼ねる構成の場合は、検知電極と共通電極とが兼用されているため、検知電極には共通電極としての電位が印加されることになる。また、図１０および図１１に断面構成を示した、液晶パネル１内のＴＦＴ画素電極１９の周囲部分、もしくは、この周辺部分に対向する対向基板１ｂのブラックマトリクス２２層上に検知電極を配置して、検知電極を共通電極と兼用しない構成例の場合であっても、検知電極の電圧を共通電極の電位と同じ電位にすることにより、検知電極からの電界により液晶分子が不適切な向きに配向されることを効果的に防止することができ、表示画像に悪影響を与えずにタッチ位置の検出を行うことができる。
【０１０１】
図１４は、本実施形態にかかる液晶表示装置において、液晶パネルの表示更新を行う走査信号線のラインブロックへの走査信号の入力と、タッチセンサでのタッチ位置検出を行うための駆動電極への駆動信号の印加と、検知電極での検知信号の取得タイミングの、他の一例を説明する説明図である。図１４（ａ）〜図１４（ｆ）は、それぞれの走査信号線のラインブロックが走査される期間における状態を示している。なお、図１４においては、走査信号線を省いて図示している。
【０１０２】
図１４で示す他の例における検知信号の取得タイミングは、選択されて走査信号線に走査信号が順次印加されるラインブロックに対応する検知電極からは検知信号を出力させず、選択されていないラインブロックに対応して配置された検知電極から検知信号を出力させる点は、図１２に示した検知信号の取得タイミングの例と同じである。図１４に示す他の例では、各ラインブロックの走査信号線の走査期間において、駆動電極に順次駆動信号を印加する方法が異なっている。具体的には、図１２では、各ラインブロックの走査信号線の走査期間に、全ての駆動電極を順次走査して駆動信号を１回以上印加しているが、図１４に示す他の例では、各ラインブロックの走査信号線の走査期間に、駆動電極に駆動信号を印加する回数を１回未満としている。
【０１０３】
図１４に示す例は、一つのラインブロックに走査信号が印加されている期間に、全ての駆動電極の３分の１の駆動電極（図１４に図示する例では、全６本中２本）に駆動信号を印加している。すなわち、図１４（ａ）に示す、一つめのラインブロック１０−１の走査信号線に走査信号が印加されている期間には、図中左側の２本の駆動電極に駆動信号Ｔｘｖが印加され、図１４（ｂ）に示す、二つめのラインブロック１０−２の走査信号線に走査信号が印加されている期間には、図中中央の２本の駆動電極に駆動信号Ｔｘｖが印加され、図１４（ｃ）に示す、三つめのラインブロック１０−３の走査信号線に走査信号が印加されている期間には、図中右の２本の駆動電極に駆動信号Ｔｘｖが印加されている。このようにして、複数（図１４の例の場合は３つ）のラインブロックが選択されて走査信号が印加されている期間に、全ての駆動電極が順次走査されるようにして駆動信号Ｔｘｖが印加される。
【０１０４】
このように、一つのラインブロックが選択されている期間に駆動電極に駆動信号を印加する回数を１回未満とすること、言い換えると、複数のラインブロックが選択されている期間で全ての駆動電極が順次走査されて駆動信号が印加されるような駆動信号の印加動作を行うことにより、一つのラインブロックが選択されている期間にタッチ位置を検出可能な範囲は、図１４（ａ）から図１４（ｆ）の各図において検出可能領域として図示した、駆動電極に駆動信号が印加される範囲に制限される。しかし、表示パネルが何本のラインブロックを備えているかを勘案して、１つのラインブロックが選択されている期間に駆動信号が印加される駆動電極の割合を定めることで、画像表示の１フレーム期間内に画像表示領域の全体におけるタッチ位置情報を得ることは可能である。このため、図１４に示した例のように、一つのラインブロックが選択されている期間に駆動電極に駆動信号を印加する回数を１回未満とすることは、タッチ位置情報の検出における問題とはならない。
【０１０５】
例えば、表示パネルが大型化した場合には、タッチ位置検出精度の観点から表示パネルの大きさに関係なく所定の配置間隔で配置されることが求められるために表示パネル上に配置される駆動電極の本数が増加する。一方で、映像信号によって定まる１フレーム期間の長さは変わらないため、１フレーム期間内に全ての駆動電極に駆動信号を印加するためには走査速度を速くしなくてはならないという困難が生じる、このような場合でも、図１４に示すような、一つのラインブロックが選択されている期間に駆動電極に駆動信号を印加する回数を１回未満とするタッチ位置検出方法を採用することで、大型化したパネル上のタッチ位置を良好に検出することができる。
【０１０６】
図１５は、図１４（ａ）〜図１４（ｆ）として示した、各ラインブロックの走査信号線の走査期間において、駆動電極に駆動信号を印加する回数を１回未満とした場合における、検知電極による検知動作と駆動電極に印加される駆動信号としてのパルス電圧との関係の例を示す説明図である。
【０１０７】
図１５の上段に示すように、一つ目のラインブロック１０−１に走査信号が印加されている期間では、走査信号が印加されているラインブロック１０−１に対応する検知電極１２−１は検知動作を行わず、検知電極１２−１以外の他の検知電極が検知動作を行う。次に、二つ目のラインブロック１０−２に走査信号が印加されている期間には、ラインブロック１０−２に対応する検知電極１２−２は検知動作を行わず、検知電極１２−２以外の他の検知電極が検知動作を行う。また、図１５の下段に示すように、駆動電極には、０Ｖ（＝ＧＮＤ）レベルの電圧０と駆動信号の振幅分αとの間の電位差を有するパルス波形が印加される。
【０１０８】
図１５においては、図１４に対応させて、各ラインブロックの走査信号線の走査期間に、それぞれ２本の駆動電極に各駆動電極あたり１個のパルス電圧が印加されていることが示されている。具体的には、最初のラインブロック１０−１が選択されている期間に、駆動電極Ｔｘ−１に１個のパルス電圧が印加された後、駆動電極Ｔｘ−２に１個のパルス電圧が印加される。次のラインブロック１０−２の走査信号線の走査期間においては、駆動電極Ｔｘ−３に１個のパルス電圧が印加された後、駆動電極Ｔｘ−４に１個のパルス電圧が印加される。以下、図示していないが３つ目以降のラインブロックに配置されている走査信号配線に走査信号が印加されている期間に、さらに次の２つずつの駆動電極にそれぞれ１個のパルス電圧が印加され、これを繰り返す。このようにすることで、一つのラインブロックが選択されている期間に駆動電極に駆動信号を印加する回数を１回未満とすること、言い換えると、複数のラインブロックが選択されている期間で全ての駆動電極が順次走査されて駆動信号が印加されるような駆動信号の印加動作を行うことができる。
【０１０９】
なお、図示はしていないが、図１５においても検知電極の電圧は共通電極の電圧と同電位に設定している。このことにより、液晶パネルにおいて共通電極と検知電極とを兼ねる構成の場合、共通電極に正しい電圧が印加されることになる。また、共通電極を検知電極として兼用せずに液晶パネル内に格子状の検知電極を付加形成する場合でも、検知電極からの電界により液晶分子が不適切な向きに配向されることを効果的に防止することができ、表示画像に悪影響を与えずにタッチ位置の検出を行うことができる。
【０１１０】
以上説明したように、本技術によるタッチセンサにおいては、検知電極１２は走査信号線１０と平行になるように形成し、駆動電極１１は映像信号線９と平行になるように、すなわち検知電極１２に交差するように形成しており、タッチ検出期間において、駆動電極１１に駆動信号を印加するとともに、検知電極１２それぞれから出力される検出信号を検出することによりタッチ位置の検出を行うことができる。
【０１１１】
また、タッチ検出期間は、走査信号が印加されている走査信号線１０に近接した検知電極１２における検知動作は行わず、走査信号が印加されていない走査信号線１０に近接した検知電極１２において検知動作を行うように構成されている。
【０１１２】
より具体的には、Ｍ本の走査信号線からなるラインブロックをＮ本配列してなる複数本の走査信号線１０を有し、１フレーム期間中に走査信号線に順次走査信号を印加して表示の更新を行う表示装置に配置され、かつ複数本の駆動電極１１と複数本の検知電極１２とが互いに交差するように配置されるとともに、駆動電極と検知電極との間に容量素子を形成することにより構成したタッチセンサであって、検知電極１２は、表示装置の走査信号線１０に平行となるように、走査信号線１０のＮ個のラインブロック１０−１、１０−２・・・１０−Ｎそれぞれに対応させて配置され、タッチ検出期間において、駆動電極１１に駆動信号を印加するとともに、検知電極１２−１、１２−２・・・１２−Ｎそれぞれから出力される検出信号を検出することによりタッチ検出を行うように構成している。
【０１１３】
そして、タッチ検出期間は、走査信号が印加されている走査信号線のラインブロックに対応した検知電極における検知動作は行わず、走査信号が印加されていない走査信号線のラインブロックに対応した検知電極において検知動作を行うように構成されている。
【０１１４】
本技術にかかる入力装置であるタッチセンサは、上記の構成を備えることで、表示装置の表示更新の動作とタッチセンサの検出動作とを同時に行うことが可能となり、高精細化や大型化が容易な入力装置を実現することができる。
【０１１５】
なお、上記実施形態においては、走査信号線と平行になるように配置されるタッチセンサの検知電極１２を液晶パネル１のＴＦＴ基板１ａと対向基板１ｂとの間に配置し、検知電極１２と交差するように配置されるタッチセンサの駆動電極１１を、液晶パネル１の前面側に配置された対向基板１ｂの前面側に配置する構成について説明した。しかし、本技術にかかる入力装置ならびに液晶表示装置の構成は、上記実施形態で例示したものに限らない。
【０１１６】
図１６は、本技術の入力装置であるタッチセンサを構成する、駆動電極と検知電極の配置を上記実施形態において示したものとは異ならせた、他の配置例を示す分解斜視図である。
【０１１７】
図１６に示す他の配置例においては、図２で示した上記実施形態における入力装置の電極配置例と検知電極１２と駆動電極１１の配置関係を逆の構成としたものである。
【０１１８】
具体的には、液晶パネルの背面側に配置されるＴＦＴ基板１ａ上に垂直方向に延在する駆動電極１１が形成され、液晶パネルの前面側に配置される対向基板１ｂの前面側表面上に水平方向に延在する検知電極１２が配置されている。
【０１１９】
図１７は、図１６に示す入力装置の電極配置構成とした場合において、液晶パネルの走査信号線の配列構造とタッチセンサの駆動電極および検知電極の配列構造を示す概略図である。図１７は、上記実施形態における図５に相当する図面である。
【０１２０】
図１７に示すように、水平方向に延在する走査信号線１０は、Ｍ（Ｍは自然数）本の走査信号線Ｇ１−１、Ｇ１−２・・・Ｇ１−Ｍを１ラインブロックとし、複数のＮ（Ｎは自然数）本のラインブロック１０−１、１０−２・・・１０−Ｎに分割して配列されている。
【０１２１】
タッチセンサの検知電極１２は、前記ラインブロック１０−１、１０−２・・・１０−Ｎに対応させてＮ本の検知電極１２−１、１２−２・・・１２−Ｎが水平方向に延在するように配列され、前記Ｎ本の検知電極１２−１、１２−２・・・１２−Ｎと交差するように複数本の駆動電極１１（Ｔｘ−１、Ｔｘ−２、・・・、Ｔｘ−ｋ）が配列されている。
【０１２２】
なお、図１６および図１７に示した、入力装置の異なる配置の電極構成においては、対向基板上に形成されている検知電極１２の幅を細くして、隣り合う検知電極１２間の間隔が広くなるように構成されている。これは、本技術の入力装置である静電容量方式のタッチセンサにおけるタッチ位置の検出原理として、図３を用いて説明したように、本技術の入力装置では、前面側に配置された電極に使用者の指が近接したときの静電容量の変化を電圧値もしくは電流値として検出するものであるため、前面側に配置された電極の間隔が狭いと、使用者の指が近接することによる静電容量の変化が生じにくいからである。したがって、図２，および、図５に示したように、前面側の対向基板上に形成される電極が駆動電極１１の場合には、駆動電極１１の幅を細くしてその間隔が広くなるように配置している。
【０１２３】
図１８、図１９は、図１６に示す駆動電極と検知電極の配置を異ならせた他の配置例の電極配置構成の場合の、タッチセンサ機能を備えた液晶表示装置の液晶パネル構成を示す説明図である。図１８は、液晶パネル１のＴＦＴ基板１ａの構成を示すものであり、上記実施形態における図６に相当する図面である。また、図１９は、液晶パネル１の対向基板１ｂの構成を示すものであり、上記実施形態における図７に相当する図面である。図１８と図１９、および、図６と図７とは、入力装置であるタッチセンサの駆動電極１１と検知電極１２との構成が異なるのみで、液晶パネル１における画像表示を行う各電極等の構成部分は同じであるため、図６、図７に示す部分と同一部分については同一の番号を付して適宜説明を省略する。なお、図１８，図１９も、図６、図７と同様に、それぞれの基板を液晶パネル１の前面側、すなわち、観視者が表示される画像を見る方向から見た状態を示している。
【０１２４】
図１８、図１９に示す他の配置例の電極構成においては、ＴＦＴ基板１ａ上には、画素電極、ＴＦＴ、共通電極などが配置された画像表示領域１３に、垂直方向に延在して配置される映像信号線９と平行になるように、駆動電極１１が配置されている。
【０１２５】
駆動電極１１は、図１０および図１１に断面構成を示した構成例における検知電極のように、液晶パネル１内部のＴＦＴ基板１ａ上、もしくは、対向基板１ｂ上の液晶パネル１での画像表示に寄与しない境界領域に、格子状の電極を付加形成してこれを接続する手段を用いて、図１８に示すような垂直方向に配置された所定幅を有する複数本の電極として形成することができる。
【０１２６】
また図１９に示すように、対向基板１ｂには、画像表示領域１３におけるカラーフィルタ層などが形成されている面とは異なる前面側（観視者側）の面上に、インジウム錫酸化物（ＩＴＯ）やインジウム亜鉛酸化物（ＩＺＯ）など周知の透明導電性部材をパターニングすることによって、画素配列の行方向（水平方向）に延在するように複数本の検知電極１２が形成されている。このようにして、ＴＦＴ基板１ａに形成された駆動電極１１と、対向基板１ｂに形成されたストライプ状の検知電極１２が配置される。
【０１２７】
なお、図１８，図１９に示すように、駆動電極と検知電極の配置を異ならせた他の配置例の電極配置構成の場合においても、駆動電極１１および検知電極１２を、図１８および図１９では図示しないセンサ駆動回路６および信号検出回路７に電気的に接続するための端子引出部１７ａ、１７ｂが設けられている。端子引出部１７ａ、１７ｂは、抵抗値を下げて検出精度と検出速度を向上するために、幅が広いいわゆるベタパターン状に形成されている。また、端子引出部を構成する材料としては、低抵抗の金属材料（アルミニウム、銅等）を用いることが好ましい。
【０１２８】
このようにして、入力装置であるタッチセンサを構成する駆動電極と検知電極の、いずれか一方を表示パネルの一対のガラス基板の内側に配置し、他方を、一対のガラス基板のうちの観視者側の基板表面に形成することで、液晶パネルなどの画像表示パネルと一体化された入力装置、および、入力装置が一体化された画像表示装置を実現することができる。
【０１２９】
なお、本技術の入力装置において、タッチセンサを構成する検知電極および駆動電極の配置構造は、上記で説明した２つの配置構成例に限るものではない。表示パネルの前面側表面をタッチするユーザのタッチ位置を検出することができる限りにおいて、図２〜図１５を用いてその構成を説明した実施形態にかかる入力装置において、対向基板１ｂの前面側表面に配置した駆動電極１１を、検知電極１２と同様に液晶パネル１の内部に配置することができる。また、上記図１６〜図１９を用いてその構成を説明した実施形態にかかる入力装置において、対向基板１ｂの前面側表面に配置した検知電極１２を、駆動電極１１と同様に液晶パネル１の内部に配置することができる。
【０１３０】
また、液晶パネルの対向基板上には、通常、偏光板、液晶パネルを衝撃等から保護するために形成される透明の保護基板が配置される。このため、図２〜図１５を用いてその構成を説明した実施形態に係る入力装置において、対向基板１ｂの前面側表面に配置した駆動電極１１は、保護基板の液晶パネル側から対向基板１ｂの観視者側の表面の間のいずれかの位置に形成することができる。さらに、図１６〜図１９を用いてその構成を説明した実施形態に係る入力装置において、対向基板１ｂの前面側表面に配置した検知電極１２を、これら保護基板の液晶パネル側から対向基板１ｂの観視者側の表面の間のいずれかの位置に形成することができる。
【０１３１】
要するに本技術の入力装置では、検知電極１２および駆動電極１１の少なくとも一方の電極を表示パネルの内部に配置し、かつ、検知電極１２を走査信号線１０に平行となるように配置することによって構成することができる。なお、駆動電極１１を液晶パネル１の内部に配置する場合は、図１３、図１５において示した駆動電極に印加される駆動信号のパルス電圧は、０Ｖ（＝ＧＮＤ）として示した基準電位０を共通電極の電位と同電位に、パルス電圧のハイ期間αの電圧値を、共通電極の電圧値と振幅αの電位差を加算した値とすることとなる。
【０１３２】
ここで、本技術の入力装置における、タッチ位置検出信号の出力動作について説明する。
【０１３３】
図２０、図２１は、本技術の入力装置において、駆動電極に印加された駆動信号パルスによる静電容量値を検出した検知電極の検知信号を出力する、信号検出回路７における出力回路の構成を説明するためのブロック図である。
【０１３４】
図２０は、液晶パネル１に配置されたそれぞれの検知電極１２（１２−１、１２−２、１２−３、１２−４・・・）の出力電流値を、それぞれの検知電極に接続された積分器３１で積分した後、Ａ／Ｄコンバータ３２でデジタル化して、信号の演算処理を行う演算素子（ＭＰＵ）３３に出力する構成を示している。なお、図２０において、積分器３１に接続されている電圧源は、検知電極に所望の電圧を印加するための電源である。
【０１３５】
一方、図２１は、液晶パネル１に配置されたそれぞれの検知電極１２（１２−１、１２−２、１２−３、１２−４・・・）の出力電流値の積分値をそのままデジタル化して出力するのではなく、出力電流波形を、それぞれの検知電極に接続された電流電圧変換回路３４によって電圧信号に変化させ、差動増幅器３５によって隣り合う検知電極における検出信号間の差分を求め、隣り合う検知電極における検知信号間の差分のみを積分器３６で積分し、これをＡ／Ｄコンバータ３７でデジタル化して信号の演算処理を行う演算素子（ＭＰＵ）３３に出力する構成を示している。なお、図２１においては、検知電極に所望の電圧を印加するための電源は、電流電圧変換回路３４に接続されている。
【０１３６】
図２１に示すように、隣り合う検知電極で検出された検出信号の差分を求めて、これを増幅しＡ／Ｄ変換する方法を用いることで、検知信号が共通して有しているＤＣ成分を排除したのちにデジタル信号を得ることができる。このため、Ａ／Ｄコンバータとして精度の高いものを用いる必要が無くなり、入力装置の低コスト化を実現することができる。
【０１３７】
また、隣り合う検知電極からの検出信号の差分を求めることで、表示パネルに印加される画像表示信号としての映像信号が検出信号のノイズとなり、タッチ位置の検出精度を低下させる事態を効果的に排除することができる。表示パネルにおいて各映像信号線に印加される映像信号は表示画像の内容に応じてそれぞれ異なるが、本技術の入力装置では、検知電極が表示パネルの映像信号線と垂直に交差する構成となっているため、検知電極には、映像信号線の電圧変動の平均値がノイズとして現れる。このため、隣り合う検知電極におけるノイズレベルは同程度であり、隣り合う検知電極からの検出信号の差分を取ることによってこのような同相ノイズを打ち消すことができるのである。なお、このように検知電極から得られる検出信号に加わる映像に起因する同相ノイズを効果的に排除するという観点からは、図２０に示したような、各検知電極からの検出信号をそれぞれ増幅してＡ／Ｄ変換する回路構成において、Ａ／Ｄ変換の後に、隣り合う検知電極からの検出信号の差分を取る回路構成とすることも有効である。
【０１３８】
なお、本実施形態の入力装置では、検知電極で得られた検出信号を、図２０、図２１に例示したような信号検出回路を経て演算素子（ＭＰＵ）３３で演算した結果を、タッチ位置を示すタッチ信号として外部に出力する。このように、検知電極での検出信号をそのまま外部に出力するのではなく、タッチ位置情報として演算処理した結果を出力する構成とすることにより、駆動電極に駆動信号を印加するタイミングや、検知電極が検出信号を取得するタイミングを任意に変更することができ、所望のタイミングで信号検出回路から外部へタッチ位置を示すタッチ信号を出力することができる。このような構成であるため、図１２および図１３を用いて説明したように、画像表示のための走査信号が印加されているラインブロックでのタッチ位置が、当該ラインブロックが選択されている期間において検出することができない場合であっても、画像表示の１フレーム期間内におけるタッチ位置情報を合算することによって、画像表示領域の全ての部分におけるタッチ位置情報を得ることができる。
【０１３９】
図２２，図２３は、上記実施形態において、液晶パネル１の共通電極２４を、入力装置の検知電極１２と兼用する場合の、共通電極２４の構成例を説明する図面である。
【０１４０】
図２２は、共通電極２４の構成を拡大して示す平面図であり、図中二点鎖線で示す領域４１が、一つの画素電極１９に対応する１サブピクセル分の共通電極２４である。
【０１４１】
図２２に示すように、共通電極２４には、その上層に配置される画素電極とその下層に配置されるＴＦＴとを接続するための開口４２が形成されている。図２２に示す第１の共通電極２４の構成では、共通電極２４を水平方向に切断して複数の検知電極１２を構成するための切断部分にのみ、水平方向に隣り合う画素電極１９に対応する共通電極２４に連続する開口４３を設けている。
【０１４２】
このようにすることで、いわゆるベタパターンとして形成される共通電極２４を、所望の位置で水平方向に延在する複数の電極として分割することができ、共通電極２４を検知電極１２として兼用することができる。
【０１４３】
図２３は、共通電極２４を検知電極１２として兼用する場合の、第２の構成例を示した部分拡大平面図である。
【０１４４】
図２３に示す構成では、ひとつのサブピクセルに対応する共通電極２４の部分４１において、画素電極１９と対向する、すなわち、液晶パネルの厚さ方向において画素電極１９と重なる部分（図２３中の領域４１における上側部分）を除いて、画素電極１９とＴＦＴとを接続するビアが形成される部分を含めた水平方向に連続した開口４３が形成されている。このようにすることで、共通電極２４を、その機能を損なうことなく水平方向に延在して配置された複数本の短冊状電極とすることができる。そして、適宜接続端子などを設けることによって、この水平方向に配置された短冊状の電極を所定本数まとめて、図６に示した端子引出部１７ａに接続することで、図６に示すような、水平方向に延在する所定の電極幅を備えた検知電極１２を形成することができる。
【０１４５】
以上説明したように、本技術による入力装置を備えた液晶表示装置は、検知電極１２は液晶パネル１の走査信号線１０に平行となるように配置するとともに、駆動電極１１は検知電極１２に交差するように配置し、タッチ検出期間において、駆動電極１１に駆動信号を印加するとともに、検知電極１２それぞれから出力される検出信号を検出することによりタッチ位置の検出を行うように構成している。
【０１４６】
さらに、タッチ検出期間は、走査信号が印加されている走査信号線１０に近接した検知電極１２における検知動作は行わず、走査信号が印加されていない走査信号線１０に近接した検知電極１２において検知動作を行うように構成したものである。
【０１４７】
本技術の入力装置においては、走査信号線と平行となるように配置される検知電極を、走査信号線が形成するラインブロックに対応して配置する構成とし、走査信号線に走査信号が印加されていないラインブロックに対応する複数の検知電極を選択して検知動作を行うように構成している。このようにすることにより、タッチセンサの検出動作と液晶の表示更新の動作とを同時に行った場合に、表示パネルの映像信号線に映像信号が印加された際の画素電極の電圧の上昇もしくは下降にともなって、または、映像信号線自体の電位の変化にともなって、画素電極もしくは映像信号線と検知電極間との容量結合によって生じる電荷の移動に起因するノイズを、検知電極が検出することを効果的に回避できる。このため、タッチセンサの誤動作が解消され、タッチセンサの感度が上昇してタッチ位置を精度よく検出することができる。
【０１４８】
なお、上記説明したような、走査信号が印加されているラインブロックに対応する検知電極からの検出信号を出力させない検出動作を行った場合には、ラインブロック１０−１を走査している期間は検知電極１２−１が検知動作を行わないため、検知電極１２−１に対応する部分に指がタッチされていても、タッチ位置を検出することができない。しかし、ラインブロック１０−２、１０−３・・・１０−Ｎを走査している期間は、検知電極１２−１が検知動作を行うため、例えば表示パネルの画像表示における１フレーム分のタイミング（一例として６０Ｈｚ）ごとに１回タッチ位置を通知する動作とした場合には、１フレーム期間に対する一つのラインブロックが走査されている期間の割合を考慮すると、画像表示面の全ての領域でのタッチ位置を実質的に十分認識することができる。
【０１４９】
また、本技術の入力装置にかかるタッチ位置情報の通知のタイミングは、１例として６０Ｈｚである１フレームあたり１回に限られない。本技術にかかる入力装置における信号出力回路７のタッチ位置情報の出力回路構成として、一例として図２０および図２１を用いて示した、検知電極での検出信号を演算素子（ＭＰＵ）３３等を用いて演算処理した後にタッチ位置情報として外部へ通知する構成とすることなどによって、表示パネルでの画像表示の１フレーム期間における接触位置を演算して通知するタイミングを適宜設定することができる。この結果、１フレームあたりにおける接触位置の通知タイミングを、任意の所望のものとすることができる。例えば、ラインブロック１０−１、１０−２・・から全体の半分の領域に相当する、２分のＮ本の位置に相当するラインブロックまで走査した段階で、タッチ位置情報を演算して外部に通知するように設定することは容易である。この場合には、０．５フレームあたり１回、すなわち、表示パネルにおける画像表示の１フレームあたり２回、例えば、フレーム周波数が６０Ｈｚの場合には１２０Ｈｚで、タッチ位置情報を外部へ通知することができる。
【０１５０】
なお本技術の入力装置において、走査信号が印加されている期間において、当該走査信号が印加されているラインブロックに対応して配置されている検知電極でのタッチ位置検出信号を出力させない検知動作は必須のものではない。
【０１５１】
例えば、図２１を用いて説明した、隣り合う検知電極からの検知信号の差分を取った後に増幅する構成を採用するなど、検知信号に付加されているノイズを排除するタッチ位置検出動作を行う場合、または、それぞれの検知電極で得られたタッチ位置検出信号を適切な演算処理を行うことでノイズの影響を排除できる場合、さらに、表示パネル内の入力装置の電極配置構成などによって、走査信号が印加されることのノイズの影響を十分小さくできる場合などには、走査信号が印加されている期間において、当該走査信号が印加されているラインブロックに対応して配置されている検知電極からの検知信号を出力させることでも、実用上問題のない精度でのタッチ位置の検出を行うことができる。
【０１５２】
さらに、上記実施形態で説明したように、駆動電極１１を液晶パネルの外側に配置する構成とした場合には、駆動電極１１と液晶パネル内に配置された、検知電極以外の画像表示のための各電極との間に形成される寄生容量を抑制することができる。このため、駆動電極に印加するパルス電圧による消費電力を減らすことができる。また、消費電力を同じにしたまま、パルス電圧の印加回数を増やすことや、パルス電圧の電位差を高く設定することなどが可能となり、これらの対応を行うことで、タッチセンサのタッチ位置検出感度を高めることが可能である。
【０１５３】
なお、検知電極１２において、選択的に検知動作を行わないように構成する方法としては、例えば、スイッチを用いて、検知動作をさせない検知電極１２を信号検出回路から切り離し、その検知電極１２を所定の電位に接続することが考えられる。また、他の方法として、アナログデータをデジタルデータに変換した後に、演算処理を行うＭＰＵ等において、検知動作を行わせない期間に蓄積されたデジタルデータを使用せずに演算処理を行うなどの方法を用いることができる。
【０１５４】
なお、上記実施形態の説明において、液晶表示装置に用いられる液晶パネルをＩＰＳ方式のパネル構成のものを例示して説明したが、液晶表示装置において表示パネルとして用いられる液晶パネルは、ＩＰＳ方式のものに限られず、いわゆる垂直配向方式など、周知の駆動方式の液晶パネルを用いることができる。この場合、特に、共通電極がＴＦＴ基板上に形成されずに対向基板に形成される場合もあるが、上記実施形態で説明したように画像表示に寄与しない有効領域の周囲の周辺領域部分に適宜電極を配置して、これを入力装置の駆動電極または検知電極として用いるなど、さまざま対応が考えられる。
【産業上の利用可能性】
【０１５５】
以上のように本技術は、静電容量結合方式の入力装置、および、この入力装置を用いた液晶表示装置において有用な発明である。
【図１】
2014061261.tif 000003
【図２】
2014061261.tif 000004
【図３】
2014061261.tif 000005
【図４】
2014061261.tif 000006
【図５】
2014061261.tif 000007
【図６】
2014061261.tif 000008
【図７】
2014061261.tif 000009
【図８】
2014061261.tif 000010
【図９】
2014061261.tif 000011
【図１０】
2014061261.tif 000012
【図１１】
2014061261.tif 000013
【図１２】
2014061261.tif 000014
【図１３】
2014061261.tif 000015
【図１４】
2014061261.tif 000016
【図１５】
2014061261.tif 000017
【図１６】
2014061261.tif 000018
【図１７】
2014061261.tif 000019
【図１８】
2014061261.tif 000020
【図１９】
2014061261.tif 000021
【図２０】
2014061261.tif 000022
【図２１】
2014061261.tif 000023
【図２２】
2014061261.tif 000024
【図２３】
2014061261.tif 000025
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
１フレーム期間中に複数の走査信号線に順次走査信号を印加して表示の更新を行う表示装置に配置され、複数本の駆動電極と複数本の検知電極とが互いに交差するように配置されるとともに、前記駆動電極と前記検知電極との間に容量素子を形成することにより構成した入力装置であって、
前記検知電極は前記表示装置の前記走査信号線に平行となるように配置され、
タッチ検出期間において、前記駆動電極に駆動信号を印加するとともに、前記検知電極それぞれから出力される検出信号を検出することによりタッチ位置の検出を行うように構成したことを特徴とする入力装置。
【請求項２】
前記タッチ検出期間は、前記走査信号が印加されている前記走査信号線に近接した前記検知電極における検知動作は行わず、前記走査信号が印加されていない前記走査信号線に近接した前記検知電極において検知動作を行うように構成されている請求項１に記載の入力装置。
【請求項３】
Ｍ本の走査信号線からなるラインブロックをＮ本配列してなる複数本の走査信号線を有し、１フレーム期間中に前記走査信号線に順次走査信号を印加して表示の更新を行う表示装置に配置され、
複数本の駆動電極と複数本の検知電極とが互いに交差するように配置されるとともに、前記駆動電極と前記検知電極との間に容量素子を形成することにより構成した入力装置であって、
前記検知電極は、前記表示装置の前記走査信号線に平行となるように、前記走査信号線のＮ本のラインブロックそれぞれに対応させて配置され、
タッチ検出期間において、前記駆動電極に駆動信号を印加するとともに、前記検知電極それぞれから出力される検出信号を検出することによりタッチ位置の検出を行うように構成したことを特徴とする入力装置。
【請求項４】
前記タッチ検出期間は、前記走査信号が印加されている走査信号線の前記ラインブロックに対応した前記検知電極における検知動作は行わず、走査信号が印加されていない走査信号線の前記ラインブロックに対応した前記検知電極において検知動作を行うように構成されている請求項３に記載の入力装置。
【請求項５】
前記検知電極および前記駆動電極の少なくとも一方の電極は、前記表示装置の内部に前記走査信号線に平行、または、前記走査信号線と交差するように配置されている請求項１または３に記載の入力装置。
【請求項６】
複数の画素電極およびこの画素電極に対向するように設けた共通電極を有し、前記画素電極への電圧印加を制御するスイッチング素子に順次走査信号を印加して表示の更新を行う液晶パネルと、複数本の駆動電極と複数本の検知電極とが互いに交差するように配置されるとともに前記駆動電極と前記検知電極との間に容量素子を形成することにより構成され、かつ、前記検知電極および前記駆動電極の少なくとも一方の電極は前記液晶パネル内部に配置した入力装置とを備えた液晶表示装置であって、
前記検知電極は前記液晶パネルの走査信号線に平行となるように配置するとともに、前記駆動電極は前記検知電極に交差するように配置し、タッチ検出期間において、前記駆動電極に駆動信号を印加するとともに、前記検知電極それぞれから出力される検出信号を検出することによりタッチ位置の検出を行うように構成したことを特徴とする液晶表示装置。
【請求項７】
前記タッチ検出期間は、前記走査信号が印加されている走査信号線に近接した検知電極における検知動作は行わず、走査信号が印加されていない走査信号線に近接した検知電極において検知動作を行うように構成されている請求項６に記載の液晶表示装置。
【手続補正２】
【補正対象書類名】明細書
【補正対象項目名】全文
【補正方法】変更
【補正の内容】
【発明の詳細な説明】
【技術分野】
【０００１】
本技術は、画面上のタッチ位置を検出してデータ入力が可能な静電容量結合方式の入力装置、および、当該入力装置と表示素子としての液晶パネルとを備えた液晶表示装置に関するものである。
【背景技術】
【０００２】
表示画面に使用者の指などでタッチ操作することで情報を入力する、画面入力機能をもつ入力装置を備えた表示装置は、ＰＤＡや携帯端末などのモバイル用電子機器、各種の家庭電気製品、無人受付機等の据置型顧客案内端末等に用いられている。このようなタッチ操作による入力装置としては、タッチされた部分の抵抗値変化を検出する抵抗膜方式、あるいは容量変化を検出する静電容量結合方式、タッチにより遮蔽された部分の光量変化を検出する光センサ方式など、各種の方式が知られている。
【０００３】
これら各種の方式の中で静電容量結合方式は、抵抗膜方式や光センサ方式と比較した場合に次のような利点がある。例えば、抵抗膜方式や光センサ方式ではタッチ装置の透過率が８０％程度と低いのに対し、静電容量結合方式のタッチ装置は約９０％と透過率が高く表示画像の画質を低下させない点があげられる。また、抵抗膜方式では抵抗膜の機械的接触によりタッチ位置を検知するため、抵抗膜が劣化または破損するおそれがあるのに対し、静電容量結合方式では検出用電極が他の電極などと接触するような機械的接触がなく、耐久性の点からも有利である。
【０００４】
静電容量結合方式の入力装置としては、例えば、特許文献１で開示されているような方式がある。
【先行技術文献】
【特許文献】
【０００５】
【特許文献１】特開２０１１−９０４５８号公報
【発明の概要】
【発明が解決しようとする課題】
【０００６】
本技術はこのような静電容量結合方式の入力装置において、高精細化や大型化が容易な入力装置を提供することを目的とする。また、本技術は、液晶表示パネルと、高精細化や大型化が容易な入力装置とを備えた液晶表示装置を得ることを目的とする。
【課題を解決するための手段】
【０００７】
このような課題を解決するために本技術の入力装置は、１フレーム期間中に複数の走査信号線に順次走査信号を印加して表示の更新を行う表示装置に配置され、複数本の駆動電極と複数本の検知電極とが互いに交差するように配置されるとともに、前記駆動電極と前記検知電極との間に容量素子を形成することにより構成した入力装置であって、前記検知電極は前記表示装置の前記走査信号線に平行となるように配置され、タッチ検出期間において、前記駆動電極に駆動信号を印加するとともに、前記検知電極それぞれから出力される検出信号を検出することによりタッチ位置の検出を行うように構成したことを特徴とする。
【０００８】
また、本技術の他の入力装置は、Ｍ本の走査信号線からなるラインブロックをＮ本配列してなる複数本の走査信号線を有し、１フレーム期間中に前記走査信号線に順次走査信号を印加して表示の更新を行う表示装置に配置され、複数本の駆動電極と複数本の検知電極とが互いに交差するように配置されるとともに、前記駆動電極と前記検知電極との間に容量素子を形成することにより構成した入力装置であって、前記検知電極は、前記表示装置の前記走査信号線に平行となるように、前記走査信号線のＮ本のラインブロックそれぞれに対応させて配置され、タッチ検出期間において、前記駆動電極に駆動信号を印加するとともに、前記検知電極それぞれから出力される検出信号を検出することによりタッチ位置の検出を行うように構成したことを特徴とする。
【０００９】
さらに、本技術の液晶表示装置は、複数の画素電極およびこの画素電極に対向するように設けた共通電極を有し、前記画素電極への電圧印加を制御するスイッチング素子に順次走査信号を印加して表示の更新を行う液晶パネルと、複数本の駆動電極と複数本の検知電極とが互いに交差するように配置されるとともに、前記駆動電極と前記検知電極との間に容量素子を形成することにより構成され、かつ、前記駆動電極および前記検知電極の少なくとも一方の電極が前記液晶パネル内部に配置された入力装置とを備えた液晶表示装置であって、前記検知電極は前記液晶パネルの走査信号線に平行となるように配置されるとともに、タッチ検出期間において、前記駆動電極に駆動信号を印加するとともに、前記検知電極それぞれから出力される検出信号を検出することによりタッチ位置の検出を行うように構成したことを特徴とする。
【発明の効果】
【００１０】
本技術によれば、静電容量結合方式の入力装置において、駆動電極と交差するように配置された検知電極を、表示装置の走査信号線に略平行となるように配置することによって、表示装置の表示更新の動作とタッチセンサの検出動作とを同時に行うことが可能となり、高精細化や大型化が容易な入力装置を提供することができる。また、表示装置としての液晶パネルと組み合わせることで、表示デバイスとして最も普及している液晶パネルと高精細化や大型化が容易な入力装置とを備えた液晶表示装置を提供することができる。
【図面の簡単な説明】
【００１１】
【図１】本実施形態にかかるタッチセンサ機能を備えた液晶表示装置の全体構成を説明するためのブロック図。
【図２】タッチセンサを構成する駆動電極と検知電極の配列の一例を示す分解斜視図。
【図３】タッチセンサの概略構成と等価回路について、タッチ操作を行っていない状態とタッチ操作を行った状態とを説明するための説明図。
【図４】タッチ操作を行っていない場合とタッチ操作を行った場合の検出信号の変化を示す説明図。
【図５】液晶パネルの走査信号線の配列構造とタッチセンサの駆動電極および検知電極の配列構造を示す概略図。
【図６】本実施形態にかかるタッチセンサ機能を備えた液晶表示装置に用いられる液晶パネルの、ＴＦＴ基板の構成を示す説明図。
【図７】本実施形態にかかるタッチセンサ機能を備えた液晶表示装置に用いられる液晶パネルの、対向基板の構成を示す説明図
【図８】液晶パネルのひとつのサブピクセルとその周辺部の電極構成の一例を示す平面図。
【図９】液晶パネルのひとつのサブピクセルとその周辺部の電極構成の一例を示す断面図。
【図１０】液晶パネルの他の構成例における、ひとつのサブピクセルとその周辺部の電極構成の例を示す断面図。
【図１１】液晶パネルのさらに異なる構成例における、ひとつのサブピクセルとその周辺部の電極構成の例を示す断面図。
【図１２】液晶パネルの表示更新を行う走査信号線のラインブロックへの走査信号の入力と、タッチセンサでのタッチ検出を行うための駆動電極への駆動信号の印加と、検知電極での検知信号の取得との関係の一例を示す説明図。
【図１３】ラインブロック１０−１の走査信号線の走査期間における、検知電極による検知動作と駆動電極に印加される駆動信号との関係の一例を説明するための説明図。
【図１４】液晶パネルの表示更新を行う走査信号線のラインブロックへの走査信号の入力と、タッチセンサでのタッチ検出を行うための駆動電極への駆動信号の印加と、検知電極での検知信号の取得との関係の他の例を示す説明図。
【図１５】各ラインブロックの走査信号線の走査期間における、検知電極による検知動作と駆動電極に印加されるパルス電圧との関係の一例を示す説明図。
【図１６】タッチセンサを構成する駆動電極と検知電極の配列の他の例を示す分解斜視図。
【図１７】駆動電極と検知電極の配列の他の例の配置構成の場合における、液晶パネルの走査信号線の配列構造とタッチセンサの駆動電極および検知電極の配列構造を示す概略図。
【図１８】駆動電極と検知電極の配列の他の例の配置構成の場合における、タッチセンサ機能を備えた液晶表示装置の液晶パネルのＴＦＴ基板の構成を示す説明図。
【図１９】駆動電極と検知電極の配列の他の例の配置構成の場合における、タッチセンサ機能を備えた液晶表示装置の液晶パネルの対向基板の構成を示す説明図。
【図２０】本実施形態にかかる液晶表示装置における、タッチ信号を取り出す回路構成を説明する回路ブロック図。
【図２１】本実施形態にかかる液晶表示装置における、タッチ信号を取り出す回路構成の他の構成例を説明する回路ブロック図。
【図２２】本実施形態にかかる液晶表示装置における、液晶パネルの共通電極を用いて検知電極を形成する第１の形成例を示す図。
【図２３】本実施形態にかかる液晶表示装置における、液晶パネルの共通電極を用いて検知電極を形成する第２の形成例を示す図。
【発明を実施するための形態】
【００１２】
本技術の入力装置は、１フレーム期間中に複数の走査信号線に順次走査信号を印加して表示の更新を行う表示装置に配置され、複数本の駆動電極と複数本の検知電極とが互いに交差するように配置されるとともに、前記駆動電極と前記検知電極との間に容量素子を形成することにより構成した入力装置であって、前記検知電極は前記表示装置の前記走査信号線に平行となるように配置され、タッチ検出期間において、前記駆動電極に駆動信号を印加するとともに、前記検知電極それぞれから出力される検出信号を検出することによりタッチ位置の検出を行うように構成している。
【００１３】
本技術の入力装置は、１フレーム期間中に複数の走査信号線に順次走査信号を印加して表示の更新を行う表示装置の走査信号線と平行となるように、かつ、駆動電極と交差するように配置された検知電極を備え、タッチ検出期間に駆動電極に駆動信号を印加するとともに検知電極それぞれから出力される検出信号を検出することによりタッチ位置の検出を行う。このため、表示装置の表示更新の動作とタッチセンサの検出動作とを同時に行うことが可能となり、高精細化や大型化が容易な入力装置を実現することができる。
【００１４】
本技術の入力装置において、前記タッチ検出期間は、前記走査信号が印加されている前記走査信号線に近接した前記検知電極における検知動作は行わず、前記走査信号が印加されていない前記走査信号線に近接した前記検知電極において検知動作を行うように構成されていることが好ましい。このようにすることで、走査信号の印加に伴うノイズの影響を効果的に回避することができ、より精度の高いタッチ位置検出を行うことができる入力装置を得ることができる。
【００１５】
また、本技術の他の入力装置は、Ｍ本の走査信号線からなるラインブロックをＮ本配列してなる複数本の走査信号線を有し、１フレーム期間中に前記走査信号線に順次走査信号を印加して表示の更新を行う表示装置に配置され、複数本の駆動電極と複数本の検知電極とが互いに交差するように配置されるとともに、前記駆動電極と前記検知電極との間に容量素子を形成することにより構成した入力装置であって、前記検知電極は、前記表示装置の前記走査信号線に平行となるように、前記走査信号線のＮ本のラインブロックそれぞれに対応させて配置され、タッチ検出期間において、前記駆動電極に駆動信号を印加するとともに、前記検知電極それぞれから出力される検出信号を検出することによりタッチ位置の検出を行うように構成している。
【００１６】
本技術の他の入力装置は、配置される表示装置が、さらに、Ｍ本の走査信号線からなるラインブロックをＮ本配列した構成となっていて、検知電極がこのＮ本のラインブロックにそれぞれに対応させて配置されている構成を有する。このため、走査信号線が複数のラインブロックを形成している表示装置において、表示装置の表示更新の動作とタッチセンサの検出動作とを同時に行うことが可能となり、高精細化や大型化が容易な入力装置を実現することができる。
【００１７】
本技術の他の入力装置において、前記タッチ検出期間は、前記走査信号が印加されている前記走査信号線に近接した前記検知電極における検知動作は行わず、前記走査信号が印加されていない前記走査信号線に近接した前記検知電極において検知動作を行うように構成されていることが好ましい。このようにすることで、走査信号の印加に伴うノイズの影響を効果的に回避することができ、より精度の高いタッチ位置検出を行うことができる入力装置を得ることができる。
【００１８】
また、前記検知電極および前記駆動電極の少なくとも一方の電極は、前記表示装置の内部に前記走査信号線に平行、または、前記走査信号線と交差するように配置されていることが好ましい。このようにすることで、入力装置を備えた薄型の表示装置をより簡単な構成で実現することができる。
【００１９】
本技術の液晶表示装置は、複数の画素電極およびこの画素電極に対向するように設けた共通電極を有し、前記画素電極への電圧印加を制御するスイッチング素子に順次走査信号を印加して表示の更新を行う液晶パネルと、複数本の駆動電極と複数本の検知電極とが互いに交差するように配置されるとともに、前記駆動電極と前記検知電極との間に容量素子を形成することにより構成され、かつ、前記駆動電極および前記検知電極の少なくとも一方の電極が前記液晶パネル内部に配置された入力装置とを備えた液晶表示装置であって、前記検知電極は前記液晶パネルの走査信号線に平行となるように配置されるとともに、タッチ検出期間において、前記駆動電極に駆動信号を印加するとともに、前記検知電極それぞれから出力される検出信号を検出することによりタッチ位置の検出を行うように構成している。
【００２０】
本技術の液晶表示装置は、１フレーム期間中に複数の走査信号線に順次走査信号を印加して表示の更新を行う液晶パネルの走査信号線と平行となるように、かつ、駆動電極と交差するように配置された検知電極を備え、タッチ検出期間に駆動電極に駆動信号を印加するとともに検知電極それぞれから出力される検出信号を検出することによりタッチ位置の検出を行う。このため、液晶パネルでの表示更新の動作とタッチセンサの検出動作とを同時に行うことが可能となり、高精細化や大型化が容易な液晶表示装置を実現することができる。
【００２１】
本技術の液晶表示装置において、前記タッチ検出期間は、前記走査信号が印加されている走査信号線に近接した検知電極における検知動作は行わず、走査信号が印加されていない走査信号線に近接した検知電極において検知動作を行うように構成されていることが好ましい。このようにすることで、液晶パネルにおける走査信号の印加に伴うノイズの影響を効果的に回避することができ、より精度の高いタッチ位置検出を行うことができる入力装置を備えた液晶表示装置を得ることができる。
【００２２】
（実施の形態）
以下、本技術の一実施の形態にかかる入力装置について、表示装置としての液晶パネルと共に液晶表示装置に用いられるタッチセンサを例に説明する。なお、この実施形態は、本技術の液晶表示装置の実施形態を兼ねるものである。また、本実施形態は、本技術にかかる入力装置の例示に過ぎず、本技術の入力装置は、有機／無機のＥＬ（エレクトロルミネッセンス）表示装置などの液晶表示装置以外の表示装置にも適用することができる。
【００２３】
図１は、本技術の一実施の形態にかかる入力装置である、タッチセンサ機能を備えた液晶表示装置の全体構成を説明するためのブロック図である。
【００２４】
図１に示すように、液晶表示装置は、液晶パネル１、バックライトユニット２、走査線駆動回路３、映像線駆動回路４、バックライト駆動回路５、センサ駆動回路６、信号検出回路７、および、制御装置８を備えている。
【００２５】
液晶パネル１は矩形の平板形状であり、ガラス基板などの透明基板からなるＴＦＴ基板と、このＴＦＴ基板に対向するように所定の間隙を設けて配置される対向基板とを有し、ＴＦＴ基板と対向基板との間に液晶材料を封入することにより構成されている。
【００２６】
ＴＦＴ基板は、液晶パネル１の背面側に位置し、基材であるガラスなどからなる透明な基板上に、マトリクス状に配置された画素電極と、それぞれの画素電極に対応して設けられ、画素電極への電圧印加をオン／オフ制御するスイッチング素子としての薄膜トランジスタ（ＴＦＴ）と、共通電極などが形成されることにより構成されている。
【００２７】
対向基板は、液晶パネル１の前面側に位置し、基材であるガラスなどからなる透明な基板上に、ＴＦＴ基板に形成された画素電極に対応する位置に、それぞれがサブピクセルを構成する赤（Ｒ）、緑（Ｇ）、青（Ｂ）の３原色からなるカラーフィルタ（ＣＦ）が配置されている。また、対向基板には、Ｒ、Ｇ、Ｂの各サブピクセル同士の間、および／または、サブピクセルにより構成される画素の間に配置される、コントラストを向上させるための遮光材料からなるブラックマトリクスが形成されている。なお、本実施の形態では、ＴＦＴ基板の各画素電極に対応して形成されるＴＦＴとして、ｎチャネル型のＴＦＴを例に、ドレイン電極とソース電極とを備えた構成のものについて説明する。
【００２８】
ＴＦＴ基板には、複数の映像信号線９と複数の走査信号線１０とが互いに概ね直交して形成される。走査信号線１０はＴＦＴの水平列ごとに設けられ、水平列の複数のＴＦＴのゲート電極に共通に接続される。映像信号線９はＴＦＴの垂直列ごとに設けられ、垂直列の複数のＴＦＴのドレイン電極に共通に接続される。また、各ＴＦＴのソース電極には、それぞれのＴＦＴに対応した、画像表示領域に配置されている画素電極が接続される。
【００２９】
ＴＦＴ基板に形成された各ＴＦＴは、走査信号線１０に印加される走査信号に応じて水平列単位で、オン／オフ動作が制御される。オン状態とされた水平列の各ＴＦＴは、それぞれに接続された画素電極の電位を、映像信号線９に印加される映像信号に応じた電位（画素電圧）に設定する。そして、液晶パネル１は、複数の画素電極およびこの画素電極に対向するように設けた共通電極を有し、画素電極と共通電極との間に生じる電界によってそれぞれの画素電極が形成された領域ごとに液晶の配向を制御し、バックライトユニット２から入射した光に対する透過率を変えることにより、表示面に画像を形成する。
【００３０】
バックライトユニット２は、液晶パネル１の背面側に配置され、液晶パネル１の背面から光を照射するもので、例えば複数の発光ダイオードを配列して面光源を構成する構造や、導光板と拡散反射板とを組み合わせて用いることで、発光ダイオードの光を面光源とする構成の構造のものが知られている。
【００３１】
走査線駆動回路３は、ＴＦＴ基板に形成された複数の走査信号線１０に接続されている。
【００３２】
走査線駆動回路３は、制御装置８から入力されるタイミング信号に応じて走査信号線１０を順番に選択し、選択した走査信号線１０にＴＦＴをオンする電圧を印加する。例えば、走査線駆動回路３は、シフトレジスタを含んで構成され、シフトレジスタは制御装置８からのトリガ信号を受けて動作を開始し、垂直走査方向に沿った順序で走査信号線１０を順次選択し、選択した走査信号線１０に走査信号である走査パルスを出力する。
【００３３】
映像線駆動回路４は、ＴＦＴ基板に形成された複数の映像信号線９に接続されている。
【００３４】
映像線駆動回路４は、走査線駆動回路３による走査信号線１０の選択に合わせて、選択された走査信号線１０に接続されるＴＦＴそれぞれに、各サブピクセルの階調値を表す映像信号に応じた電圧を印加する。これにより、選択された走査信号線１０に対応するサブピクセルに配置されている各画素電極に、映像信号が書き込まれる。
【００３５】
バックライト駆動回路５は、制御装置８から入力される発光制御信号に応じたタイミングや輝度でバックライトユニット２を発光させる。
【００３６】
液晶パネル１には、入力装置であるタッチセンサを構成する電極として、複数の駆動電極１１と複数の検知電極１２とが互いに交差するように配置されている。
【００３７】
これらの駆動電極１１および検知電極１２により構成されるタッチセンサは、駆動電極１１と検知電極１２との間で、電気信号の入力と静電容量変化による応答検出とを行い、表示面への物体の接触を検出する。この接触を検出する電気回路として、センサ駆動回路６および信号検出回路７が設けられている。
【００３８】
センサ駆動回路６は、交流信号源であり、駆動電極１１に接続される。例えば、センサ駆動回路６は制御装置８からタイミング信号が入力され、駆動電極１１を順番に選択し、選択した駆動電極１１に矩形状のパルス電圧による駆動信号Ｔｘｖを印加する。
【００３９】
駆動電極１１および映像信号線９は、ＴＦＴ基板に垂直方向に延在するように形成され、水平方向に複数本が配列されている。これらの駆動電極１１および映像信号線９に電気的に接続されるセンサ駆動回路６および映像線駆動回路４は、画素が配列される画像表示領域の水平な辺に沿って配置することができ、本実施形態の液晶表示装置では、上下の辺の一方に映像線駆動回路４を配置し、他方にセンサ駆動回路６を配置している。
【００４０】
信号検出回路７は、静電容量変化を検出する検出回路であり、検知電極１２に接続される。信号検出回路７は、検知電極１２ごとに検出回路を設け、検知電極１２の電圧を検出信号Ｒｘｖとして検出する構成としている。なお、信号検出回路の他の構成例として、複数本の検知電極１２の群に対して１つの信号検出回路を設け、駆動電極１１に印加されるパルス電圧の持続時間内において、複数本の検知電極１２での検出信号Ｒｘｖの電圧監視を時分割で行い、それぞれの検知電極１２からの検出信号Ｒｘｖを検出するように構成してもよい。
【００４１】
表示面上での物体の接触位置、すなわちタッチ位置は、どの駆動電極１１に駆動信号Ｔｘｖを印加したときに、どの検知電極１２で接触時の検知信号Ｒｘｖが検出されたかに基づいて求められ、それら駆動電極１１と検知電極１２との交点が接触位置として演算により求められる。なお、接触位置を求める演算方法としては、液晶表示装置内に演算回路を設けて行う方法や、液晶表示装置の外部の演算回路により行う方法がある。
【００４２】
制御装置８は、ＣＰＵなどの演算処理回路、および、ＲＯＭやＲＡＭなどのメモリを備えている。制御装置８は、入力される映像データに基づき、色調整などの各種の画像信号処理を行って各サブピクセルの階調値を示す画像信号を生成し、映像線駆動回路４に印加する。また、制御装置８は、入力された映像データに基づき、走査線駆動回路３、映像線駆動回路４、バックライト駆動回路５、センサ駆動回路６および信号検出回路７の動作の同期をとるためのタイミング信号を生成し、それら回路に印加する。また、制御装置８は、バックライト駆動回路５への発光制御信号として、入力された映像データに基づいて発光ダイオードの輝度を制御するための輝度信号を供給する。
【００４３】
本実施形態で説明する液晶表示装置では、液晶パネル１の各信号線や電極に接続される走査線駆動回路３、映像線駆動回路４、センサ駆動回路６、および、信号検出回路７は、フレキシブル配線板、プリント配線板およびガラス基板に各回路の半導体チップを搭載することにより構成している。しかし、走査線駆動回路３、映像線駆動回路４、センサ駆動回路６は、ＴＦＴ基板上に、ＴＦＴなどとともに半導体回路素子などの所定の電子回路を同時に形成することにより搭載してもよい。
【００４４】
図２はタッチセンサを構成する駆動電極と検知電極の配列の一例を示す斜視図である。
【００４５】
図２に示すように、入力装置としてのタッチセンサは、図２の左右方向に延在する複数本のストライプ状の電極パターンである検知電極１２と、検知電極１２の電極パターンの延在方向と交差する方向に延びる複数本のストライプ状の電極パターンである駆動電極１１とから構成されている。それぞれの駆動電極１１と検知電極１２とが互いに交差した交差部分それぞれに、静電容量を持つ容量素子が形成される。なお、本実施の形態にかかる液晶表示装置において、検知電極１２は、液晶パネルにおいて画像表示に用いられる画素電極を用いて形成することができ、また、液晶パネル１内に所定の電極を配置して形成することができる。
【００４６】
また、検知電極１２は、走査信号線１０が延在する方向に対して平行となるように配置されている。本明細書において、検知電極と走査信号線とが平行となるように配置されているとは、検知電極と走査信号線とが同じ方向に向いて延在して配置されていることを言い、検知電極と走査信号線とが物理的に完全に平行である状態を規定するものではない。
【００４７】
そして、検知電極１２は、後で詳細に説明するとおり、Ｍ（Ｍは自然数）本の走査信号線を１ラインブロックとしたとき、複数のＮ（Ｎは自然数）本のラインブロックそれぞれに対応するように配置され、ラインブロックごとに検知信号を検出するように構成されている。
【００４８】
タッチ位置の検出動作を行う際は、センサ駆動回路６から列方向（垂直方向）に配置された駆動電極１１それぞれに対して、一例として図２中に走査方向として示す方向（左側から右側）に順次駆動信号Ｔｘｖが印加され、検出対象となるラインブロックに対応して配置された検知電極１２から検出信号Ｒｘｖを検出することによって、ラインブロックに対応したタッチ位置の検出が行われる。
【００４９】
次に、静電容量方式のタッチセンサにおけるタッチ位置の検出原理（電圧検知方式）について、図３、図４を用いて説明する。
【００５０】
図３（ａ）、図３（ｂ）は、タッチセンサの概略構成と等価回路について、タッチ操作を行っていない状態（図３（ａ））とタッチ操作を行った状態（図３（ｂ））とを説明する図である。図４は、図３に示したような、タッチ操作を行っていない場合とタッチ操作を行った場合との検出信号の変化を示す説明図である。
【００５１】
静電容量方式のタッチセンサは、図２に示すように、互いに交差するようにマトリクス状に配置された一対の駆動電極１１と検知電極１２との交差部が、図３（ａ）に示すように、誘電体Ｄを挟んで対向配置していることにより容量素子を構成している。等価回路は、図３（ａ）の図中右側に示すように表わされ、駆動電極１１、検知電極１２および誘電体Ｄによって、容量素子Ｃ１が構成される。容量素子Ｃ１は、その一端が交流信号源としてのセンサ駆動回路６に接続され、他端Ｐは抵抗器Ｒを介して接地されるとともに、電圧検出器としての信号検出回路７に接続される。
【００５２】
交流信号源としてのセンサ駆動回路６から駆動電極１１（容量素子Ｃ１の一端）に、数十ｋＨｚ〜数百ｋＨｚ程度の所定の周波数のパルス電圧による駆動信号Ｔｘｖ（図４）を印加すると、検知電極１２（容量素子Ｃ１の他端Ｐ）に、図４に示すような出力波形（検出信号Ｒｘｖ）が現れる。
【００５３】
指が接触（または近接）していない状態では、図３（ａ）に示すように、容量素子Ｃ１に対する充放電に伴って、容量素子Ｃ１の容量値に応じた電流Ｉ０が流れる。このときの容量素子Ｃ１の他端Ｐの電位波形は、図４の波形Ｖ０のようになり、これが電圧検出器である信号検出回路７によって検出される。
【００５４】
一方、指が接触（または近接）した状態では、図３（ｂ）に示すように、等価回路は、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、図４の波形Ｖ１のようになり、これが電圧検出器である信号検出回路７によって検出される。このとき、点Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。
【００５５】
信号検出回路７は、検知電極１２それぞれから出力される検出信号の電位を所定のしきい値電圧Ｖｔｈと比較し、このしきい値電圧以上であれば非接触状態と判断し、しきい値電圧未満であれば接触状態と判断する。このようにして、タッチ検出が可能となる。なお、タッチ位置の検出を行うために、図４に示したような電圧の大きさによって判別する方法以外の静電容量の変化を検知する方法として、電流を検知する方法等がある。
【００５６】
図５は、液晶パネルの走査信号線の配列構造とタッチセンサの駆動電極および検知電極の配列構造を示す概略図である。
【００５７】
図５に示すように、水平方向に延在する走査信号線１０は、Ｍ（Ｍは自然数）本の走査信号線Ｇ１−１、Ｇ１−２・・・Ｇ１−Ｍを１ラインブロックとし、複数のＮ（Ｎは自然数）本のラインブロック１０−１、１０−２・・・１０−Ｎに分割して配列されている。
【００５８】
タッチセンサの検知電極１２は、ラインブロック１０−１、１０−２・・・１０−Ｎにそれぞれ対応させて、Ｎ本の検知電極１２−１、１２−２・・・１２−Ｎが水平方向に延在するように配列されている。そして、Ｎ本の検知電極１２−１、１２−２・・・１２−Ｎと交差するように、複数本の駆動電極１１（Ｔｘ−１、Ｔｘ−２、・・・、Ｔｘ−ｋ）が配列されている。
【００５９】
すなわち、表示装置である液晶パネル１は、Ｍ本の走査信号線からなるラインブロックをＮ本配列してなる複数本の走査信号線１０を有し、１フレーム期間中に順次走査信号を印加して表示の更新を行うように構成されている。入力装置であるタッチセンサを構成する検知電極１２は、走査信号線１０に平行となるように、かつ、走査信号線１０のＮ個のラインブロック１０−１、１０−２・・・１０−Ｎにそれぞれ対応するように、検知電極１２−１、１２−２・・・１２−Ｎが配置されている。駆動電極１１は、検知電極１２−１、１２−２・・・１２−Ｎに略直交して交差するように絶縁体層を介して配置され、駆動電極と検知電極との間の交差部分それぞれに、実質的に図３に示した容量素子Ｃ１が形成されることにより構成されている。タッチセンサは、タッチ検出期間において、駆動電極１１に順次駆動信号を印加するとともに、検知電極１２−１、１２−２・・・１２−Ｎそれぞれから出力される検出信号を検出することにより、タッチ位置の検出を行うように構成されている。
【００６０】
図６、図７は、本技術の一実施形態にかかるタッチセンサ機能を備えた液晶表示装置の液晶パネルの構成を示す説明図である。図６は、液晶パネルのＴＦＴ基板の構成を示す概略平面図であり、図７は、ＴＦＴ基板に対向して配置される対向基板の構成を示す概略平面図である。なお、図６、図７は、それぞれの基板を液晶パネル１の前面側、すなわち、観視者が表示される画像を見る方向から見た状態を示している。
【００６１】
図６に示すように、液晶パネル１のＴＦＴ基板１ａ上には、マトリクス状に配置されそれぞれが一つのサブピクセルに相当する画素電極と、各画素電極に対応して設けられ画素電極への電圧印加をオン／オフ制御するスイッチング素子としての薄膜トランジスタ（ＴＦＴ）と、画素電極との間に絶縁層を介して配置された共通電極などが形成されることにより、液晶パネル１での画像表示を行う領域である画像表示領域１３が形成されている。なお、図６においては、図面の煩雑化を避けるために画素表示領域１３のみを示し、画素電極やＴＦＴ、共通電極の図示は省略する。
【００６２】
また、ＴＦＴ基板１ａ上には、映像信号線９に接続される映像線駆動回路４と、走査信号線１０に接続される走査線駆動回路３とが配置されている。なお、図１を用いて説明したように、ＴＦＴ基板１ａ上には、複数の映像信号線９と複数の走査信号線１０とが互いに概ね直交するように配置され、走査信号線１０は各画素電極に対応するＴＦＴの水平列方向に設けられ、複数のＴＦＴのゲート電極に共通に接続される。また、映像信号線９は各画素電極に対応するＴＦＴの垂直列方向に設けられ、複数のＴＦＴのドレイン電極に共通に接続される。また、各ＴＦＴのソース電極にはそれぞれのＴＦＴに対応する画像表示領域に配置されている画素電極が接続される。
【００６３】
図７に示すように、液晶パネル１の対向基板１ｂは、液晶パネル１の前面側に位置していて、対向基板１ｂを構成する透明なガラス基板のＴＦＴ基板と対向する側の面上には、ＴＦＴ基板上に形成された画素電極に対応する位置に、赤（Ｒ）、緑（Ｇ）、青（Ｂ）の各サブピクセルを構成するための３原色のカラーフィルタと、Ｒ、Ｇ、Ｂの各サブピクセル間にコントラストを向上させるための遮光材料からなる遮光部であるブラックマトリクスが形成されている。図７では、図面の煩雑化を避けるために、カラーフィルタとブラックマトリクスの図示は省略し、これらが配置されている領域を画像表示領域１３として示している。
【００６４】
本実施形態の液晶表示装置に用いられる液晶パネル１では、ＴＦＴ基板１ａ側に検知電極１２が配置されている。また、対向基板１ｂに、ＴＦＴ基板１ａに配置された検知電極１２と交差するように、ストライプ状の駆動電極１１が配置されている。より具体的には、検知電極１２は、図６に示すように、ＴＦＴ基板１ａ上の画像表示領域１３において画素電極と絶縁層を介して対向するように配置された共通電極を水平方向に伸延する切断線で切断することで、それぞれが画素配列の行方向の配列方向（水平方向）に延在する複数本の検知電極１２として形成されている。また、駆動電極１１は、図７に示すように、対向基板１ｂのカラーフィルタ層などが形成されている面とは異なる前面側（観視者側）の面上に、インジウム錫酸化物（ＩＴＯ）やインジウム亜鉛酸化物（ＩＺＯ）など周知の透明導電性部材をパターニングすることによって、画素配列の列方向（垂直方向）に延在する複数本の駆動電極１１として形成されている。
【００６５】
なお、本実施形態で説明する液晶パネル１では、図６、図７に示すように、駆動電極１１および検知電極１２を、図６および図７では図示しないセンサ駆動回路６および信号検出回路７にフレキシブル配線板（ＦＰＣ）等を介して電気的に接続するための端子引出部１７ａ、１７ｂが設けられている。端子引出部１７ａ、１７ｂは、抵抗値を下げて検出精度と検出速度を向上するために、幅が広いいわゆるベタパターン状に形成されている。また、端子引出部を構成する材料としては、低抵抗の金属材料（アルミニウム、銅等）を用いることが好ましい。
【００６６】
なお、図６において、ＴＦＴ基板１ａ上において画像表示領域の右側に走査線駆動回路３が、また、画像表示領域１３の下側に映像線駆動回路４が、それぞれ配置された構成を示したが、走査線駆動回路３および映像線駆動回路４の配置位置はこれらに限られず、走査線駆動回路３および映像線駆動回路４をＴＦＴ基板１ａ上に配置する場合には、画像表示領域１３の周辺部分の任意の場所に配置することができる。なお、映像信号線９と走査信号線１０の延在方向から、走査線駆動回路３が画像表示領域１３の左右いずれかの側方に、映像線駆動回路４が画像表示領域の上下いずれかの位置に配置されることが多い。また、ＦＰＣなどを介して、走査線駆動回路３および映像線駆動回路４をＴＦＴ基板上以外の場所に配置することもできる。
【００６７】
図８は、図６にＡ部として示した部分における、液晶パネルのＴＦＴ基板上に形成された一つのサブピクセルと、その周辺部の電極構成の一例を示す部分拡大平面図である。
【００６８】
図８に示すように、本実施形態で説明する液晶パネル１では、ＴＦＴ基板１ａの液晶層側（前面側）の面には、インジウム錫酸化物（ＩＴＯ）やインジウム亜鉛酸化物（ＩＺＯ）などの透明導電材からなる画素電極１９と、画素電極１９にソース電極を接続したＴＦＴ２０と、ＴＦＴ２０のゲート電極に接続された走査信号線１０と、ＴＦＴ２０のドレイン電極に接続された映像信号線９とが適宜絶縁層を介しながら積層形成されている。
【００６９】
ＴＦＴ２０は、半導体層、および半導体層にそれぞれオーミック接続されるドレイン電極およびソース電極を有し、ソース電極は図示しないコンタクトホールを介して画素電極１９に接続されている。半導体層の下層には、走査信号線１０に接続されるゲート電極が形成されている。
【００７０】
なお、図８に示す例は、本実施形態にかかる液晶表示装置に用いられる液晶パネルとして、ＩＰＳ方式と呼ばれる、液晶層に対して横方向の電界がかかる方式の液晶パネルが用いられた場合の例であり、画素電極１９と共通電極との間の電界が１つのサブピクセルを構成する有効領域の液晶層に及ぶように、画素電極１９は櫛歯形状に形成されている。また、画素電極１９が形成されていてその部分の液晶層が画像表示に寄与する有効領域を囲むように、その部分の液晶層が画像表示に寄与しない境界領域が設けられ、その境界領域に、走査信号線１０と映像信号線９が配置され、これらの交点近傍にＴＦＴ２０が配置されている。
【００７１】
また、図８には図示していないが、画素電極１９の下層には、層間絶縁膜を挟んで画素電極１９と対向するように、すなわち、液晶パネル１の厚さ方向において画素電極１９と重なる位置に、共通電極が形成されている。なお、共通電極は、少なくとも画素電極１９が配されている有効領域と重なる部分では、ほぼ面状（いわゆるベタパターン状）に形成されている。そして、図８に示す本実施形態の液晶パネル１では、この共通電極を走査信号線１０の配置方向と平行な方向にスリットを設けて分断し、走査信号線１０に平行となるように複数本が配置されたタッチセンサの検知電極１２として兼用して使用している。
【００７２】
図９は、図６においてＡ部として示した領域、すなわち、図８に平面構成を示した領域の概略断面図である。
【００７３】
図９に示すように、液晶パネル１は、ガラス基板などの透明基板からなるＴＦＴ基板１ａと、このＴＦＴ基板１ａに対向するように所定の間隙を設けて配置される対向基板１ｂとを有し、ＴＦＴ基板１ａと対向基板１ｂとの間に液晶層を形成する液晶材料１ｃを封入することにより構成されている。
【００７４】
ＴＦＴ基板１ａは、液晶パネル１の背面側に位置し、ＴＦＴ基板１ａの本体を構成する透明基板の表面に、マトリクス状に配置された画素電極１９と、それぞれの画素電極１９に対応して設けられ、画素電極１９への電圧印加をオン／オフ制御するスイッチング素子としてのＴＦＴと、画素電極１９と層間絶縁層２３を介して積層して形成されている共通電極２４を備えている。なお、上述のように、本実施形態にかかる液晶パネル１の共通電極２４は、タッチセンサの検知電極１２を兼ねている。
【００７５】
対向基板１ｂは、液晶パネル１の前面側に位置し、対向基板１ｂ本体を構成する透明な基板のＴＦＴ基板１ａ側に、ＴＦＴ基板１ａに形成された画素電極１９に対応するように液晶パネル１の厚さ方向において重なる位置に、赤（Ｒ）、緑（Ｇ）、青（Ｂ）のサブピクセルをそれぞれ構成するための３原色のカラーフィルタ２１Ｒ、２１Ｇ、２１Ｂが形成されている。また、これらＲ、Ｇ、Ｂのサブピクセルの間と３つのサブピクセルから構成される一つの画素間に配置され、表示される画像のコントラストを向上させるための遮光材料からなる遮光部であるブラックマトリクス２２が形成されている。
【００７６】
また、本実施形態で説明する液晶パネル１では、対向基板１ｂの観視者側の表面に駆動電極１１が形成されている。この駆動電極１１は、上記したようにインジウム錫酸化物（ＩＴＯ）やインジウム亜鉛酸化物（ＩＺＯ）などの透明導電材をパターニングすることで所定の形状に形成されている。
【００７７】
なお、詳細な説明は省略するが、図９に示すように、通常のアクティブマトリクスの液晶パネルと同様、ＴＦＴ基板１ａに形成される電極や配線等の所定の電圧が印加される各構成要素間には、層間絶縁膜２３が形成されている。
【００７８】
上述したように、ＴＦＴ基板１ａには、ＴＦＴ２０のドレイン電極に接続される複数の映像信号線９と、ゲート電極に接続される複数の走査信号線１０とが互いに直交するように配置されている。走査信号線１０はＴＦＴの水平列ごとに設けられ、水平列の複数のＴＦＴ２０のゲート電極に共通に接続される。映像信号線９はＴＦＴ２０の垂直列ごとに設けられ、垂直列の複数のＴＦＴ２０のドレイン電極に共通に接続されている。また、各ＴＦＴ２０のソース電極にはＴＦＴ２０に対応する画素電極１９が接続される。
【００７９】
図１０は、本実施形態で説明する液晶パネルにおいて、液晶パネル内に形成されたタッチセンサの検知電極を形成場所が異なる第１の例を示す断面図である。なお、図１０は図９と同様に、図６におけるＡ部、すなわち、図８に平面構成を示した部分の断面構成を示している。
【００８０】
図１０に示す、検知電極１２の配置位置の異なる第１の例では、タッチセンサを構成する一方の電極である検知電極１２を、図９に示した構成のように液晶パネル１の共通電極を検知電極１２として兼用するのではなく、ＴＦＴ基板１ａにおいて画素電極１９が形成されている層間絶縁膜２３上であって、画素電極１９が配置されている有効領域の周辺の、液晶パネル１での画像表示に寄与しない境界領域に検知電極１２が形成されている。なお、図８のような平面構成の図示は省略するが、検知電極１２の配置位置の異なる第１の例では、画素電極１９の周囲の映像信号線９および走査信号線１０（図８参照）に重なるように、枠状の電極を形成して、この枠状電極を垂直および水平方向に適宜接続して、全体として図６に示すような水平方向に延在する複数本の検知電極１２を構成するものである。また、図１０に断面構成を示す他の構成例の検知電極１２は、液晶パネル１における画像表示のための電極以外の電極を付加することにより形成されるものであるため、図１０に示す構成例では、共通電極は水平方向に延在するスリットによって分断される構成とはなっていない。
【００８１】
図１０に示す、画素電極１９の周辺部分ら形成された検知電極１２は、例えば、アルミニウムや銅などの金属材料と、これを覆うインジウム錫酸化物（ＩＴＯ）から形成される。
【００８２】
図１１は、本実施形態で説明する液晶パネルにおいて、液晶パネル内に形成されたタッチセンサの検知電極の形成場所の異なる第２の例を示す断面図である。なお、図１１も、図９および図１１と同様に、図６におけるＡ部の断面構成を示している。
【００８３】
図１１に示す、検知電極１２の配置位置の異なる第２の例では、タッチセンサを構成する一方の電極である検知電極１２を、対向基板１ｂにおいて、サブピクセルを形成する有効領域の周囲の境界領域に配置されているブラックマトリクス２２層上、すなわち、ブラックマトリクス２２層の液晶層側に配置されている。なお、タッチセンサの検知電極の形成場所の異なる第２の例においても図８のような平面構成の図示は省略するが、上記第１の例と同様に、ＴＦＴ基板１ａにおける画素電極１９の周囲の映像信号線９および走査信号線１０と対向する位置の、対向基板１ｂのブラックマトリクス層２２上に枠状の電極を形成して、この枠状電極を垂直および水平方向に適宜接続して、全体として図６に示すような水平方向に延在する複数本の検知電極１２を構成するものである。また、図１１に断面構成を示す他の構成例の検知電極１２も、液晶パネル１における画像表示のための電極以外の電極を付加することにより形成されるものであるため、共通電極は水平方向に延在するスリットによって分断される構成とはなっていない。図１１に示す、対向基板１ｂのブラックマトリクス２２上に配置された検知電極１２は、例えば、アルミニウムや銅などの金属材料から形成される。
【００８４】
図１０に示した検知電極１２の配置位置の異なる第１の構成例、図１１で示した第２の構成例共に、駆動電極１１は図９に示した構成例と同じく、対向基板１ｂの観視者側の表面にインジウム錫酸化物（ＩＴＯ）やインジウム亜鉛酸化物（ＩＺＯ）などの透明導電材をパターンニングして垂直方向に延在する複数の電極として形成されている。
【００８５】
また、図１０に示す第１の構成例、図１１に示す第２の構成例においても、液晶パネル１の画像表示に関する部分の構成は図９を用いて示したものと同様な構成である。すなわち、液晶パネル１は、ガラス基板などの透明基板からなるＴＦＴ基板１ａと、このＴＦＴ基板１ａに対向するように所定の間隙を設けて配置される対向基板１ｂとを有し、ＴＦＴ基板１ａと対向基板１ｂとの間に液晶層である液晶材料１ｃを封入することにより構成されている。また、ＴＦＴ基板１ａは、液晶パネル１の背面側に位置し、ＴＦＴ基板１ａの本体を構成する透明基板の表面に、マトリクス状に配置された画素電極１９と、それぞれの画素電極１９に対応して設けられ、画素電極１９への電圧印加をオン／オフ制御するスイッチング素子としてのＴＦＴと、画素電極１９と層間絶縁層を介して積層して形成されている共通電極２４などが形成されている。さらに、対向基板１ｂは、液晶パネル１の前面側に位置し、対向基板１ｂ本体を構成する透明な基板に、ＴＦＴ基板１ａに形成された画素電極１９に対応するように液晶パネル１の厚さ方向において重なる位置に、赤（Ｒ）、緑（Ｇ）、青（Ｂ）のサブピクセルをそれぞれ構成するための３原色のカラーフィルタ２１Ｒ、２１Ｇ、２１Ｂと、Ｒ、Ｇ、Ｂのサブピクセルの間と３つのサブピクセルから構成される一つの画素間に配置され、表示される画像のコントラストを向上させるための遮光材料からなる遮光部であるブラックマトリクス２２が形成されている。
【００８６】
このように、本実施形態の液晶表示装置では、検知電極１２を共通電極と兼用するものとして、また、ＴＦＴ基板１ａ上に形成された画素電極１９の周囲を囲む境界領域に相当する部分の、ＴＦＴ基板１ａ上、もしくは、対向基板１ｂ上に、有効領域、すなわち、一つのサブピクセルを構成する領域の周辺を囲むような格子状に形成され、これを適宜水平方向および垂直方向に接続することで、図２に示したような、水平方向に延在して配置された複数本の電極として構成することができる。このように検知電極１２を形成することで、対向基板１ｂの観視者側の表面に形成された駆動電極１１と検知電極１２とが、互いに交差するように配置され、交差部分に容量素子が形成されて、静電容量型のタッチセンサとして機能する。
【００８７】
次に、本実施形態にかかる液晶表示装置における、タッチセンサによるタッチ位置の検出動作について説明する。
【００８８】
図１２は、本実施形態で説明する液晶パネルにおいて、表示画像を更新する表示更新を行う走査信号線の各ラインブロックへの走査信号の入力タイミングと、タッチセンサでタッチ位置検出を行うための、駆動電極への駆動信号の印加と検知電極での検知信号の取得動作のタイミングとの関係の一例を示す説明図である。図１２（ａ）〜図１２（ｆ）は、走査信号線のラインブロックがそれぞれ走査される期間の状態を示している。
【００８９】
図１２（ａ）に示すように、一番上のラインブロック１０−１の走査信号線それぞれに走査信号を順次入力している走査期間において、各駆動電極１１には、１回以上の駆動信号Ｔｘｖが、順次図中矢印で示す水平方向に順次走査するように供給される。このとき、走査信号が入力されているラインブロック１０−１に対応する検知電極１２−１は、検知動作を行わず、走査信号が入力されていない走査信号線のライブロックに対応して配置されている検知電極１２−１以外の他の検知電極１２（１２−２〜１２−Ｎ）は検知動作を行い、検出信号Ｒｘｖを出力する。
【００９０】
次に、図１２（ｂ）に示すように、２番目のラインブロック１０−２の走査信号線それぞれに走査信号を順次入力している走査期間において、各駆動電極１１には、１回以上の駆動信号Ｔｘｖが順次走査するように供給される。このとき、走査信号が入力されているラインブロックである、ラインブロック１０−２に対応する検知電極１２−２は検知動作を行わず、検知電極１２−２以外の他の検知電極１２（１２−１、１２−３〜１２−Ｎ）は検知動作を行い、検出信号Ｒｘｖを出力する。
【００９１】
以下、図１２（ｃ）〜図１２（ｆ）に示すように、ラインブロック１０−３、１０−４、１０−５・・・１０−Ｎの走査信号線それぞれに走査信号を順次入力している走査期間が順次進行するのに対応し、走査信号が入力されているタイミングのラインブロック１０−３、１０−４、１０−５・・・１０−Ｎに対応する検知電極１２−３、１２−４、１２−５・・１２−Ｎが検知動作を行わず、それ以外の検知電極１２が検知動作を行い、検出信号Ｒｘｖを出力する。このとき、ラインブロックごとの走査信号線それぞれに走査信号を順次入力している走査期間ごとに、各駆動電極１１には１回以上の駆動信号Ｔｘｖが供給される。
【００９２】
すなわち、本実施形態の液晶表示装置においては、走査信号線に走査信号を印加していないラインブロックに対応する複数の検知電極１２を用いて検知動作を行うように構成している。走査信号線に走査信号が印加され、当該走査信号線に接続されたＴＦＴがオンすることにより、オンとなったＴＦＴに対応する画素電極に映像信号線からの電圧が印加される。このような画像表示の更新動作が行われると、画素電極の電圧が上昇もしくは下降するため、画素電極と検知電極との間の容量結合によって電荷が移動して、検知電極１２にタッチ動作とは無関係な電荷の移動が生じるとこれがタッチ位置検出信号のノイズとなる。また、走査信号が印加される走査信号線と検知電極との容量結合によっても電荷が移動し、この電荷の移動がタッチ位置検出信号のノイズとなる。そこで、本実施形態にかかる液晶表示装置が備えるタッチセンサでは、図１２に示すような、走査信号線が選択されたラインブロックに配置されている検知電極からは検出信号Ｒｘｖを出力させない検知動作を行うことにより、検知電極１２がノイズを検出することが回避されて、タッチセンサのタッチ位置検出感度を高めることができる。
【００９３】
図１３（ａ）、図１３（ｂ）は、図１２（ａ）として示した、ラインブロック１０−１の走査信号線が走査されている走査期間における、検知電極による検知動作と駆動電極に印加される駆動信号との関係の一例を説明するための説明図である。なお、図１３（ａ）、図１３（ｂ）では、いずれも、ラインブロック１０−１の走査信号線の走査期間に、１本の駆動電極１１に駆動信号として２個のパルス波形が印加された場合の例を示している。
【００９４】
図１３（ａ）、図１３（ｂ）においてそれぞれその上段に示すように、タッチ検出期間においては、走査信号が印加されているラインブロック１０−１に対応する検知電極１２−１は停止していて検知動作を行わず、検知電極１２−１以外の検知電極は検知動作を行う。また、図１３（ａ）、図１３（ｂ）のそれぞれ下段に示すように、駆動電極Ｔｘ−１〜Ｔｘ−ｋには、０Ｖ（＝ＧＮＤ）レベルの電圧０と駆動信号の振幅分αとの間の電位差を有するパルス波形が順次印加される。
【００９５】
図１３（ａ）において、駆動電極Ｔｘ−１にパルス電圧が印加された後に、次の駆動電極Ｔｘ−２にパルス電圧が印加され、続いて順次パルス電圧が次の駆動電極に印加される。最後の駆動電極Ｔｘ−ｋにパルスが印加された後、再び最初の駆動電極Ｔｘ−１にパルス電圧が印加され、続いて次の駆動電極Ｔｘ−２にパルス電圧が印加され、最後の駆動電極Ｔｘ−ｋまで順次パルス電圧が印加されて、ラインブロック１０−１の走査信号線の走査期間が終了するまでの間に、２回走査するように各駆動電極１２に順次駆動信号であるパルス電圧が印加される。
【００９６】
次のラインブロック１０−２の走査信号線が走査される期間においては、最初のラインブロック１０−１の走査期間においての動作と同様に、各駆動電極（Ｔｘ−１〜Ｔｘ−ｋ）に順次２回の走査を行うようにして駆動信号が印加される。以下、３つめ以降のラインブロック１０−３から１０−Ｎの走査信号線の走査期間にも、同じように駆動電極Ｔｘ−１〜Ｔｘ−ｋに順次駆動信号が印加される。
【００９７】
図１３（ａ）は、各駆動電極に１個のパルス波形を順次印加していき、２回の順次走査を行いうことで全体として一つの駆動電極に２個のパルス波形を印加する場合の例である。また、一つのラインブロックに配置された走査信号線の走査期間に、それぞれの駆動電極に２個の駆動信号パルスを印加する方法として、図１３（ｂ）に示すように、各駆動電極に対して１度に２個のパルス波形を連続して印加しながら、全体を１回順次走査する方法を採用することができる。
【００９８】
図１３（ｂ）に示すように、一つ目のラインブロック１０−１の走査信号線が走査されている期間に、２個のパルス波形を全ての駆動電極を走査するように順次印加して、ラインブロック１０−１以外のラインブロックに対応する検知電極（１２−２〜１２−Ｎ）から検知信号を出力させることができる。この場合も、図１３（ａ）で示した場合と同様に、２つ目以降の全てのラインブロックの走査信号線が走査される期間において、全ての駆動電極に順次２個のパルス波形の駆動信号を印加して、選択されていないラインブロックに対応する検知電極からの検知信号を出力させることができる。
【００９９】
なお、図１３（ａ）、図１３（ｂ）に示すように、一つのラインブロックが選択されている期間に２個の駆動信号パルスを印加して、それぞれの検知電極におけるタッチ位置を２回ずつ検出することにより、１回ずつの駆動信号パルスを印加する場合と比較してタッチ位置を検出する頻度が増えるためにタッチ位置の検出精度を向上させることができる。さらに、駆動電極１２に印加される駆動信号パルス回数を３回以上に増やすことで、タッチ位置の検出精度をさらに向上させることが可能となる。
【０１００】
また、図１３（ａ）、図１３（ｂ）では図示していないが、検知電極の電圧は共通電極の電圧と同電位に設定している。図９に断面構成を示した、液晶パネル１において共通電極２４と検知電極１２とを兼ねる構成の場合は、検知電極と共通電極とが兼用されているため、検知電極には共通電極としての電位が印加されることになる。また、図１０および図１１に断面構成を示した、液晶パネル１内のＴＦＴ画素電極１９の周囲部分、もしくは、この周辺部分に対向する対向基板１ｂのブラックマトリクス２２層上に検知電極を配置して、検知電極を共通電極と兼用しない構成例の場合であっても、検知電極の電圧を共通電極の電位と同じ電位にすることにより、検知電極からの電界により液晶分子が不適切な向きに配向されることを効果的に防止することができ、表示画像に悪影響を与えずにタッチ位置の検出を行うことができる。
【０１０１】
図１４は、本実施形態にかかる液晶表示装置において、液晶パネルの表示更新を行う走査信号線のラインブロックへの走査信号の入力と、タッチセンサでのタッチ位置検出を行うための駆動電極への駆動信号の印加と、検知電極での検知信号の取得タイミングの、他の一例を説明する説明図である。図１４（ａ）〜図１４（ｆ）は、それぞれの走査信号線のラインブロックが走査される期間における状態を示している。なお、図１４においては、走査信号線を省いて図示している。
【０１０２】
図１４で示す他の例における検知信号の取得タイミングは、選択されて走査信号線に走査信号が順次印加されるラインブロックに対応する検知電極からは検知信号を出力させず、選択されていないラインブロックに対応して配置された検知電極から検知信号を出力させる点は、図１２に示した検知信号の取得タイミングの例と同じである。図１４に示す他の例では、各ラインブロックの走査信号線の走査期間において、駆動電極に順次駆動信号を印加する方法が異なっている。具体的には、図１２では、各ラインブロックの走査信号線の走査期間に、全ての駆動電極を順次走査して駆動信号を１回以上印加しているが、図１４に示す他の例では、各ラインブロックの走査信号線の走査期間に、駆動電極に駆動信号を印加する回数を１回未満としている。
【０１０３】
図１４に示す例は、一つのラインブロックに走査信号が印加されている期間に、全ての駆動電極の３分の１の駆動電極（図１４に図示する例では、全６本中２本）に駆動信号を印加している。すなわち、図１４（ａ）に示す、一つめのラインブロック１０−１の走査信号線に走査信号が印加されている期間には、図中左側の２本の駆動電極に駆動信号Ｔｘｖが印加され、図１４（ｂ）に示す、二つめのラインブロック１０−２の走査信号線に走査信号が印加されている期間には、図中中央の２本の駆動電極に駆動信号Ｔｘｖが印加され、図１４（ｃ）に示す、三つめのラインブロック１０−３の走査信号線に走査信号が印加されている期間には、図中右の２本の駆動電極に駆動信号Ｔｘｖが印加されている。このようにして、複数（図１４の例の場合は３つ）のラインブロックが選択されて走査信号が印加されている期間に、全ての駆動電極が順次走査されるようにして駆動信号Ｔｘｖが印加される。
【０１０４】
このように、一つのラインブロックが選択されている期間に駆動電極に駆動信号を印加する回数を１回未満とすること、言い換えると、複数のラインブロックが選択されている期間で全ての駆動電極が順次走査されて駆動信号が印加されるような駆動信号の印加動作を行うことにより、一つのラインブロックが選択されている期間にタッチ位置を検出可能な範囲は、図１４（ａ）から図１４（ｆ）の各図において検出可能領域として図示した、駆動電極に駆動信号が印加される範囲に制限される。しかし、表示パネルが何本のラインブロックを備えているかを勘案して、１つのラインブロックが選択されている期間に駆動信号が印加される駆動電極の割合を定めることで、画像表示の１フレーム期間内に画像表示領域の全体におけるタッチ位置情報を得ることは可能である。このため、図１４に示した例のように、一つのラインブロックが選択されている期間に駆動電極に駆動信号を印加する回数を１回未満とすることは、タッチ位置情報の検出における問題とはならない。
【０１０５】
例えば、表示パネルが大型化した場合には、タッチ位置検出精度の観点から表示パネルの大きさに関係なく所定の配置間隔で配置されることが求められるために表示パネル上に配置される駆動電極の本数が増加する。一方で、映像信号によって定まる１フレーム期間の長さは変わらないため、１フレーム期間内に全ての駆動電極に駆動信号を印加するためには走査速度を速くしなくてはならないという困難が生じる、このような場合でも、図１４に示すような、一つのラインブロックが選択されている期間に駆動電極に駆動信号を印加する回数を１回未満とするタッチ位置検出方法を採用することで、大型化したパネル上のタッチ位置を良好に検出することができる。
【０１０６】
図１５は、図１４（ａ）〜図１４（ｆ）として示した、各ラインブロックの走査信号線の走査期間において、駆動電極に駆動信号を印加する回数を１回未満とした場合における、検知電極による検知動作と駆動電極に印加される駆動信号としてのパルス電圧との関係の例を示す説明図である。
【０１０７】
図１５の上段に示すように、一つ目のラインブロック１０−１に走査信号が印加されている期間では、走査信号が印加されているラインブロック１０−１に対応する検知電極１２−１は検知動作を行わず、検知電極１２−１以外の他の検知電極が検知動作を行う。次に、二つ目のラインブロック１０−２に走査信号が印加されている期間には、ラインブロック１０−２に対応する検知電極１２−２は検知動作を行わず、検知電極１２−２以外の他の検知電極が検知動作を行う。また、図１５の下段に示すように、駆動電極には、０Ｖ（＝ＧＮＤ）レベルの電圧０と駆動信号の振幅分αとの間の電位差を有するパルス波形が印加される。
【０１０８】
図１５においては、図１４に対応させて、各ラインブロックの走査信号線の走査期間に、それぞれ２本の駆動電極に各駆動電極あたり１個のパルス電圧が印加されていることが示されている。具体的には、最初のラインブロック１０−１が選択されている期間に、駆動電極Ｔｘ−１に１個のパルス電圧が印加された後、駆動電極Ｔｘ−２に１個のパルス電圧が印加される。次のラインブロック１０−２の走査信号線の走査期間においては、駆動電極Ｔｘ−３に１個のパルス電圧が印加された後、駆動電極Ｔｘ−４に１個のパルス電圧が印加される。以下、図示していないが３つ目以降のラインブロックに配置されている走査信号配線に走査信号が印加されている期間に、さらに次の２つずつの駆動電極にそれぞれ１個のパルス電圧が印加され、これを繰り返す。このようにすることで、一つのラインブロックが選択されている期間に駆動電極に駆動信号を印加する回数を１回未満とすること、言い換えると、複数のラインブロックが選択されている期間で全ての駆動電極が順次走査されて駆動信号が印加されるような駆動信号の印加動作を行うことができる。
【０１０９】
なお、図示はしていないが、図１５においても検知電極の電圧は共通電極の電圧と同電位に設定している。このことにより、液晶パネルにおいて共通電極と検知電極とを兼ねる構成の場合、共通電極に正しい電圧が印加されることになる。また、共通電極を検知電極として兼用せずに液晶パネル内に格子状の検知電極を付加形成する場合でも、検知電極からの電界により液晶分子が不適切な向きに配向されることを効果的に防止することができ、表示画像に悪影響を与えずにタッチ位置の検出を行うことができる。
【０１１０】
以上説明したように、本技術によるタッチセンサにおいては、検知電極１２は走査信号線１０と平行になるように形成し、駆動電極１１は映像信号線９と平行になるように、すなわち検知電極１２に交差するように形成しており、タッチ検出期間において、駆動電極１１に駆動信号を印加するとともに、検知電極１２それぞれから出力される検出信号を検出することによりタッチ位置の検出を行うことができる。
【０１１１】
また、タッチ検出期間は、走査信号が印加されている走査信号線１０に近接した検知電極１２における検知動作は行わず、走査信号が印加されていない走査信号線１０に近接した検知電極１２において検知動作を行うように構成されている。
【０１１２】
より具体的には、Ｍ本の走査信号線からなるラインブロックをＮ本配列してなる複数本の走査信号線１０を有し、１フレーム期間中に走査信号線に順次走査信号を印加して表示の更新を行う表示装置に配置され、かつ複数本の駆動電極１１と複数本の検知電極１２とが互いに交差するように配置されるとともに、駆動電極と検知電極との間に容量素子を形成することにより構成したタッチセンサであって、検知電極１２は、表示装置の走査信号線１０に平行となるように、走査信号線１０のＮ個のラインブロック１０−１、１０−２・・・１０−Ｎそれぞれに対応させて配置され、タッチ検出期間において、駆動電極１１に駆動信号を印加するとともに、検知電極１２−１、１２−２・・・１２−Ｎそれぞれから出力される検出信号を検出することによりタッチ検出を行うように構成している。
【０１１３】
そして、タッチ検出期間は、走査信号が印加されている走査信号線のラインブロックに対応した検知電極における検知動作は行わず、走査信号が印加されていない走査信号線のラインブロックに対応した検知電極において検知動作を行うように構成されている。
【０１１４】
本技術にかかる入力装置であるタッチセンサは、上記の構成を備えることで、表示装置の表示更新の動作とタッチセンサの検出動作とを同時に行うことが可能となり、高精細化や大型化が容易な入力装置を実現することができる。
【０１１５】
なお、上記実施形態においては、走査信号線と平行になるように配置されるタッチセンサの検知電極１２を液晶パネル１のＴＦＴ基板１ａと対向基板１ｂとの間に配置し、検知電極１２と交差するように配置されるタッチセンサの駆動電極１１を、液晶パネル１の前面側に配置された対向基板１ｂの前面側に配置する構成について説明した。しかし、本技術にかかる入力装置ならびに液晶表示装置の構成は、上記実施形態で例示したものに限らない。
【０１１６】
図１６は、本技術の入力装置であるタッチセンサを構成する、駆動電極と検知電極の配置を上記実施形態において示したものとは異ならせた、他の配置例を示す分解斜視図である。
【０１１７】
図１６に示す他の配置例においては、図２で示した上記実施形態における入力装置の電極配置例と検知電極１２と駆動電極１１の配置関係を逆の構成としたものである。
【０１１８】
具体的には、液晶パネルの背面側に配置されるＴＦＴ基板１ａ上に垂直方向に延在する駆動電極１１が形成され、液晶パネルの前面側に配置される対向基板１ｂの前面側表面上に水平方向に延在する検知電極１２が配置されている。
【０１１９】
図１７は、図１６に示す入力装置の電極配置構成とした場合において、液晶パネルの走査信号線の配列構造とタッチセンサの駆動電極および検知電極の配列構造を示す概略図である。図１７は、上記実施形態における図５に相当する図面である。
【０１２０】
図１７に示すように、水平方向に延在する走査信号線１０は、Ｍ（Ｍは自然数）本の走査信号線Ｇ１−１、Ｇ１−２・・・Ｇ１−Ｍを１ラインブロックとし、複数のＮ（Ｎは自然数）本のラインブロック１０−１、１０−２・・・１０−Ｎに分割して配列されている。
【０１２１】
タッチセンサの検知電極１２は、前記ラインブロック１０−１、１０−２・・・１０−Ｎに対応させてＮ本の検知電極１２−１、１２−２・・・１２−Ｎが水平方向に延在するように配列され、前記Ｎ本の検知電極１２−１、１２−２・・・１２−Ｎと交差するように複数本の駆動電極１１（Ｔｘ−１、Ｔｘ−２、・・・、Ｔｘ−ｋ）が配列されている。
【０１２２】
なお、図１６および図１７に示した、入力装置の異なる配置の電極構成においては、対向基板上に形成されている検知電極１２の幅を細くして、隣り合う検知電極１２間の間隔が広くなるように構成されている。これは、本技術の入力装置である静電容量方式のタッチセンサにおけるタッチ位置の検出原理として、図３を用いて説明したように、本技術の入力装置では、前面側に配置された電極に使用者の指が近接したときの静電容量の変化を電圧値もしくは電流値として検出するものであるため、前面側に配置された電極の間隔が狭いと、使用者の指が近接することによる静電容量の変化が生じにくいからである。したがって、図２，および、図５に示したように、前面側の対向基板上に形成される電極が駆動電極１１の場合には、駆動電極１１の幅を細くしてその間隔が広くなるように配置している。
【０１２３】
図１８、図１９は、図１６に示す駆動電極と検知電極の配置を異ならせた他の配置例の電極配置構成の場合の、タッチセンサ機能を備えた液晶表示装置の液晶パネル構成を示す説明図である。図１８は、液晶パネル１のＴＦＴ基板１ａの構成を示すものであり、上記実施形態における図６に相当する図面である。また、図１９は、液晶パネル１の対向基板１ｂの構成を示すものであり、上記実施形態における図７に相当する図面である。図１８と図１９、および、図６と図７とは、入力装置であるタッチセンサの駆動電極１１と検知電極１２との構成が異なるのみで、液晶パネル１における画像表示を行う各電極等の構成部分は同じであるため、図６、図７に示す部分と同一部分については同一の番号を付して適宜説明を省略する。なお、図１８，図１９も、図６、図７と同様に、それぞれの基板を液晶パネル１の前面側、すなわち、観視者が表示される画像を見る方向から見た状態を示している。
【０１２４】
図１８、図１９に示す他の配置例の電極構成においては、ＴＦＴ基板１ａ上には、画素電極、ＴＦＴ、共通電極などが配置された画像表示領域１３に、垂直方向に延在して配置される映像信号線９と平行になるように、駆動電極１１が配置されている。
【０１２５】
駆動電極１１は、図１０および図１１に断面構成を示した構成例における検知電極のように、液晶パネル１内部のＴＦＴ基板１ａ上、もしくは、対向基板１ｂ上の液晶パネル１での画像表示に寄与しない境界領域に、格子状の電極を付加形成してこれを接続する手段を用いて、図１８に示すような垂直方向に配置された所定幅を有する複数本の電極として形成することができる。
【０１２６】
また図１９に示すように、対向基板１ｂには、画像表示領域１３におけるカラーフィルタ層などが形成されている面とは異なる前面側（観視者側）の面上に、インジウム錫酸化物（ＩＴＯ）やインジウム亜鉛酸化物（ＩＺＯ）など周知の透明導電性部材をパターニングすることによって、画素配列の行方向（水平方向）に延在するように複数本の検知電極１２が形成されている。このようにして、ＴＦＴ基板１ａに形成された駆動電極１１と、対向基板１ｂに形成されたストライプ状の検知電極１２が配置される。
【０１２７】
なお、図１８，図１９に示すように、駆動電極と検知電極の配置を異ならせた他の配置例の電極配置構成の場合においても、駆動電極１１および検知電極１２を、図１８および図１９では図示しないセンサ駆動回路６および信号検出回路７に電気的に接続するための端子引出部１７ａ、１７ｂが設けられている。端子引出部１７ａ、１７ｂは、抵抗値を下げて検出精度と検出速度を向上するために、幅が広いいわゆるベタパターン状に形成されている。また、端子引出部を構成する材料としては、低抵抗の金属材料（アルミニウム、銅等）を用いることが好ましい。
【０１２８】
このようにして、入力装置であるタッチセンサを構成する駆動電極と検知電極の、いずれか一方を表示パネルの一対のガラス基板の内側に配置し、他方を、一対のガラス基板のうちの観視者側の基板表面に形成することで、液晶パネルなどの画像表示パネルと一体化された入力装置、および、入力装置が一体化された画像表示装置を実現することができる。
【０１２９】
なお、本技術の入力装置において、タッチセンサを構成する検知電極および駆動電極の配置構造は、上記で説明した２つの配置構成例に限るものではない。表示パネルの前面側表面をタッチするユーザのタッチ位置を検出することができる限りにおいて、図２〜図１５を用いてその構成を説明した実施形態にかかる入力装置において、対向基板１ｂの前面側表面に配置した駆動電極１１を、検知電極１２と同様に液晶パネル１の内部に配置することができる。また、上記図１６〜図１９を用いてその構成を説明した実施形態にかかる入力装置において、対向基板１ｂの前面側表面に配置した検知電極１２を、駆動電極１１と同様に液晶パネル１の内部に配置することができる。
【０１３０】
また、液晶パネルの対向基板上には、通常、偏光板、液晶パネルを衝撃等から保護するために形成される透明の保護基板が配置される。このため、図２〜図１５を用いてその構成を説明した実施形態に係る入力装置において、対向基板１ｂの前面側表面に配置した駆動電極１１は、保護基板の液晶パネル側から対向基板１ｂの観視者側の表面の間のいずれかの位置に形成することができる。さらに、図１６〜図１９を用いてその構成を説明した実施形態に係る入力装置において、対向基板１ｂの前面側表面に配置した検知電極１２を、これら保護基板の液晶パネル側から対向基板１ｂの観視者側の表面の間のいずれかの位置に形成することができる。
【０１３１】
要するに本技術の入力装置では、検知電極１２および駆動電極１１の少なくとも一方の電極を表示パネルの内部に配置し、かつ、検知電極１２を走査信号線１０に平行となるように配置することによって構成することができる。なお、駆動電極１１を液晶パネル１の内部に配置する場合は、図１３、図１５において示した駆動電極に印加される駆動信号のパルス電圧は、０Ｖ（＝ＧＮＤ）として示した基準電位０を共通電極の電位と同電位に、パルス電圧のハイ期間αの電圧値を、共通電極の電圧値と振幅αの電位差を加算した値とすることとなる。
【０１３２】
ここで、本技術の入力装置における、タッチ位置検出信号の出力動作について説明する。
【０１３３】
図２０、図２１は、本技術の入力装置において、駆動電極に印加された駆動信号パルスによる静電容量値を検出した検知電極の検知信号を出力する、信号検出回路７における出力回路の構成を説明するためのブロック図である。
【０１３４】
図２０は、液晶パネル１に配置されたそれぞれの検知電極１２（１２−１、１２−２、１２−３、１２−４・・・）の出力電流値を、それぞれの検知電極に接続された積分器３１で積分した後、Ａ／Ｄコンバータ３２でデジタル化して、信号の演算処理を行う演算素子（ＭＰＵ）３３に出力する構成を示している。なお、図２０において、積分器３１に接続されている電圧源は、検知電極に所望の電圧を印加するための電源である。
【０１３５】
一方、図２１は、液晶パネル１に配置されたそれぞれの検知電極１２（１２−１、１２−２、１２−３、１２−４・・・）の出力電流値の積分値をそのままデジタル化して出力するのではなく、出力電流波形を、それぞれの検知電極に接続された電流電圧変換回路３４によって電圧信号に変化させ、差動増幅器３５によって隣り合う検知電極における検出信号間の差分を求め、隣り合う検知電極における検知信号間の差分のみを積分器３６で積分し、これをＡ／Ｄコンバータ３７でデジタル化して信号の演算処理を行う演算素子（ＭＰＵ）３３に出力する構成を示している。なお、図２１においては、検知電極に所望の電圧を印加するための電源は、電流電圧変換回路３４に接続されている。
【０１３６】
図２１に示すように、隣り合う検知電極で検出された検出信号の差分を求めて、これを増幅しＡ／Ｄ変換する方法を用いることで、検知信号が共通して有しているＤＣ成分を排除したのちにデジタル信号を得ることができる。このため、Ａ／Ｄコンバータとして精度の高いものを用いる必要が無くなり、入力装置の低コスト化を実現することができる。
【０１３７】
また、隣り合う検知電極からの検出信号の差分を求めることで、表示パネルに印加される画像表示信号としての映像信号が検出信号のノイズとなり、タッチ位置の検出精度を低下させる事態を効果的に排除することができる。表示パネルにおいて各映像信号線に印加される映像信号は表示画像の内容に応じてそれぞれ異なるが、本技術の入力装置では、検知電極が表示パネルの映像信号線と垂直に交差する構成となっているため、検知電極には、映像信号線の電圧変動の平均値がノイズとして現れる。このため、隣り合う検知電極におけるノイズレベルは同程度であり、隣り合う検知電極からの検出信号の差分を取ることによってこのような同相ノイズを打ち消すことができるのである。なお、このように検知電極から得られる検出信号に加わる映像に起因する同相ノイズを効果的に排除するという観点からは、図２０に示したような、各検知電極からの検出信号をそれぞれ増幅してＡ／Ｄ変換する回路構成において、Ａ／Ｄ変換の後に、隣り合う検知電極からの検出信号の差分を取る回路構成とすることも有効である。
【０１３８】
なお、本実施形態の入力装置では、検知電極で得られた検出信号を、図２０、図２１に例示したような信号検出回路を経て演算素子（ＭＰＵ）３３で演算した結果を、タッチ位置を示すタッチ信号として外部に出力する。このように、検知電極での検出信号をそのまま外部に出力するのではなく、タッチ位置情報として演算処理した結果を出力する構成とすることにより、駆動電極に駆動信号を印加するタイミングや、検知電極が検出信号を取得するタイミングを任意に変更することができ、所望のタイミングで信号検出回路から外部へタッチ位置を示すタッチ信号を出力することができる。このような構成であるため、図１２および図１３を用いて説明したように、画像表示のための走査信号が印加されているラインブロックでのタッチ位置が、当該ラインブロックが選択されている期間において検出することができない場合であっても、画像表示の１フレーム期間内におけるタッチ位置情報を合算することによって、画像表示領域の全ての部分におけるタッチ位置情報を得ることができる。
【０１３９】
図２２，図２３は、上記実施形態において、液晶パネル１の共通電極２４を、入力装置の検知電極１２と兼用する場合の、共通電極２４の構成例を説明する図面である。
【０１４０】
図２２は、共通電極２４の構成を拡大して示す平面図であり、図中二点鎖線で示す領域４１が、一つの画素電極１９に対応する１サブピクセル分の共通電極２４である。
【０１４１】
図２２に示すように、共通電極２４には、その上層に配置される画素電極とその下層に配置されるＴＦＴとを接続するための開口４２が形成されている。図２２に示す第１の共通電極２４の構成では、共通電極２４を水平方向に切断して複数の検知電極１２を構成するための切断部分にのみ、水平方向に隣り合う画素電極１９に対応する共通電極２４に連続する開口４３を設けている。
【０１４２】
このようにすることで、いわゆるベタパターンとして形成される共通電極２４を、所望の位置で水平方向に延在する複数の電極として分割することができ、共通電極２４を検知電極１２として兼用することができる。
【０１４３】
図２３は、共通電極２４を検知電極１２として兼用する場合の、第２の構成例を示した部分拡大平面図である。
【０１４４】
図２３に示す構成では、ひとつのサブピクセルに対応する共通電極２４の部分４１において、画素電極１９と対向する、すなわち、液晶パネルの厚さ方向において画素電極１９と重なる部分（図２３中の領域４１における上側部分）を除いて、画素電極１９とＴＦＴとを接続するビアが形成される部分を含めた水平方向に連続した開口４３が形成されている。このようにすることで、共通電極２４を、その機能を損なうことなく水平方向に延在して配置された複数本の短冊状電極とすることができる。そして、適宜接続端子などを設けることによって、この水平方向に配置された短冊状の電極を所定本数まとめて、図６に示した端子引出部１７ａに接続することで、図６に示すような、水平方向に延在する所定の電極幅を備えた検知電極１２を形成することができる。
【０１４５】
以上説明したように、本技術による入力装置を備えた液晶表示装置は、検知電極１２は液晶パネル１の走査信号線１０に平行となるように配置するとともに、駆動電極１１は検知電極１２に交差するように配置し、タッチ検出期間において、駆動電極１１に駆動信号を印加するとともに、検知電極１２それぞれから出力される検出信号を検出することによりタッチ位置の検出を行うように構成している。
【０１４６】
さらに、タッチ検出期間は、走査信号が印加されている走査信号線１０に近接した検知電極１２における検知動作は行わず、走査信号が印加されていない走査信号線１０に近接した検知電極１２において検知動作を行うように構成したものである。
【０１４７】
本技術の入力装置においては、走査信号線と平行となるように配置される検知電極を、走査信号線が形成するラインブロックに対応して配置する構成とし、走査信号線に走査信号が印加されていないラインブロックに対応する複数の検知電極を選択して検知動作を行うように構成している。このようにすることにより、タッチセンサの検出動作と液晶の表示更新の動作とを同時に行った場合に、表示パネルの映像信号線に映像信号が印加された際の画素電極の電圧の上昇もしくは下降にともなって、または、映像信号線自体の電位の変化にともなって、画素電極もしくは映像信号線と検知電極間との容量結合によって生じる電荷の移動に起因するノイズを、検知電極が検出することを効果的に回避できる。このため、タッチセンサの誤動作が解消され、タッチセンサの感度が上昇してタッチ位置を精度よく検出することができる。
【０１４８】
なお、上記説明したような、走査信号が印加されているラインブロックに対応する検知電極からの検出信号を出力させない検出動作を行った場合には、ラインブロック１０−１を走査している期間は検知電極１２−１が検知動作を行わないため、検知電極１２−１に対応する部分に指がタッチされていても、タッチ位置を検出することができない。しかし、ラインブロック１０−２、１０−３・・・１０−Ｎを走査している期間は、検知電極１２−１が検知動作を行うため、例えば表示パネルの画像表示における１フレーム分のタイミング（一例として６０Ｈｚ）ごとに１回タッチ位置を通知する動作とした場合には、１フレーム期間に対する一つのラインブロックが走査されている期間の割合を考慮すると、画像表示面の全ての領域でのタッチ位置を実質的に十分認識することができる。
【０１４９】
また、本技術の入力装置にかかるタッチ位置情報の通知のタイミングは、１例として６０Ｈｚである１フレームあたり１回に限られない。本技術にかかる入力装置における信号出力回路７のタッチ位置情報の出力回路構成として、一例として図２０および図２１を用いて示した、検知電極での検出信号を演算素子（ＭＰＵ）３３等を用いて演算処理した後にタッチ位置情報として外部へ通知する構成とすることなどによって、表示パネルでの画像表示の１フレーム期間における接触位置を演算して通知するタイミングを適宜設定することができる。この結果、１フレームあたりにおける接触位置の通知タイミングを、任意の所望のものとすることができる。例えば、ラインブロック１０−１、１０−２・・から全体の半分の領域に相当する、２分のＮ本の位置に相当するラインブロックまで走査した段階で、タッチ位置情報を演算して外部に通知するように設定することは容易である。この場合には、０．５フレームあたり１回、すなわち、表示パネルにおける画像表示の１フレームあたり２回、例えば、フレーム周波数が６０Ｈｚの場合には１２０Ｈｚで、タッチ位置情報を外部へ通知することができる。
【０１５０】
なお本技術の入力装置において、走査信号が印加されている期間において、当該走査信号が印加されているラインブロックに対応して配置されている検知電極でのタッチ位置検出信号を出力させない検知動作は必須のものではない。
【０１５１】
例えば、図２１を用いて説明した、隣り合う検知電極からの検知信号の差分を取った後に増幅する構成を採用するなど、検知信号に付加されているノイズを排除するタッチ位置検出動作を行う場合、または、それぞれの検知電極で得られたタッチ位置検出信号を適切な演算処理を行うことでノイズの影響を排除できる場合、さらに、表示パネル内の入力装置の電極配置構成などによって、走査信号が印加されることのノイズの影響を十分小さくできる場合などには、走査信号が印加されている期間において、当該走査信号が印加されているラインブロックに対応して配置されている検知電極からの検知信号を出力させることでも、実用上問題のない精度でのタッチ位置の検出を行うことができる。
【０１５２】
さらに、上記実施形態で説明したように、駆動電極１１を液晶パネルの外側に配置する構成とした場合には、駆動電極１１と液晶パネル内に配置された、検知電極以外の画像表示のための各電極との間に形成される寄生容量を抑制することができる。このため、駆動電極に印加するパルス電圧による消費電力を減らすことができる。また、消費電力を同じにしたまま、パルス電圧の印加回数を増やすことや、パルス電圧の電位差を高く設定することなどが可能となり、これらの対応を行うことで、タッチセンサのタッチ位置検出感度を高めることが可能である。
【０１５３】
なお、検知電極１２において、選択的に検知動作を行わないように構成する方法としては、例えば、スイッチを用いて、検知動作をさせない検知電極１２を信号検出回路から切り離し、その検知電極１２を所定の電位に接続することが考えられる。また、他の方法として、アナログデータをデジタルデータに変換した後に、演算処理を行うＭＰＵ等において、検知動作を行わせない期間に蓄積されたデジタルデータを使用せずに演算処理を行うなどの方法を用いることができる。
【０１５４】
なお、上記実施形態の説明において、液晶表示装置に用いられる液晶パネルをＩＰＳ方式のパネル構成のものを例示して説明したが、液晶表示装置において表示パネルとして用いられる液晶パネルは、ＩＰＳ方式のものに限られず、いわゆる垂直配向方式など、周知の駆動方式の液晶パネルを用いることができる。この場合、特に、共通電極がＴＦＴ基板上に形成されずに対向基板に形成される場合もあるが、上記実施形態で説明したように画像表示に寄与しない有効領域の周囲の周辺領域部分に適宜電極を配置して、これを入力装置の駆動電極または検知電極として用いるなど、さまざま対応が考えられる。
【産業上の利用可能性】
【０１５５】
以上のように本技術は、静電容量結合方式の入力装置、および、この入力装置を用いた液晶表示装置において有用な発明である。
【手続補正３】
【補正対象書類名】図面
【補正対象項目名】全図
【補正方法】変更
【補正の内容】
【図１】
2014061261.tif 000026
【図２】
2014061261.tif 000027
【図３】
2014061261.tif 000028
【図４】
2014061261.tif 000029
【図５】
2014061261.tif 000030
【図６】
2014061261.tif 000031
【図７】
2014061261.tif 000032
【図８】
2014061261.tif 000033
【図９】
2014061261.tif 000034
【図１０】
2014061261.tif 000035
【図１１】
2014061261.tif 000036
【図１２】
2014061261.tif 000037
【図１３】
2014061261.tif 000038
【図１４】
2014061261.tif 000039
【図１５】
2014061261.tif 000040
【図１６】
2014061261.tif 000041
【図１７】
2014061261.tif 000042
【図１８】
2014061261.tif 000043
【図１９】
2014061261.tif 000044
【図２０】
2014061261.tif 000045
【図２１】
2014061261.tif 000046
【図２２】
2014061261.tif 000047
【図２３】
2014061261.tif 000048
【国際調査報告】
2014061261.tif 000049
2014061261.tif 000050